(57)【要約】  本発明の実施例はアップリンク信号を伝送するための方法、端末装置とネットワーク側装置を提供する。該方法は、端末装置がネットワーク側装置から送信された第一の情報を受信し、前記第一の情報が、前記端末装置が前記ネットワーク側装置へアップリンク信号を送信するためのビーム又はビームグループを確定するために用いられることと、前記端末装置が前記第一の情報に基づき、前記アップリンク信号を送信するためのターゲットビーム又はターゲットビームグループを確定することと、前記端末装置が前記ターゲットビーム又はターゲットビームグループを用いて前記ネットワーク側装置へ前記アップリンク信号を送信することとを含む。本発明の実施例は、アップリンク信号へのネットワーク側装置の受信性能を向上させることができる。
2020502870.tif 000002
【特許請求の範囲】
【請求項１】
アップリンク信号を伝送するための方法であって、
端末装置がネットワーク側装置から送信された第一の情報を受信し、前記第一の情報が、前記端末装置が前記ネットワーク側装置へアップリンク信号を送信するためのビーム又はビームグループを確定するために用いられることと、
前記端末装置が前記第一の情報に基づき、前記アップリンク信号を送信するためのターゲットビーム又はターゲットビームグループを確定することと、
前記端末装置が前記ターゲットビーム又はターゲットビームグループを用いて前記ネットワーク側装置へ前記アップリンク信号を送信することとを含む、前記アップリンク信号を伝送するための方法。
【請求項２】
前記第一の情報は、前記端末装置から前記ネットワーク側装置に送信された複数の検出信号のうちのターゲット検出信号又はターゲット検出信号グループを示すことに用いられることを特徴とする
請求項１に記載の方法。
【請求項３】
前記端末装置が前記第一の情報に基づき、前記アップリンク信号を送信するためのターゲットビーム又はターゲットビームグループを確定することは、
前記端末装置が前記ターゲット検出信号又はターゲット検出信号グループに対応するビーム又はビームグループを、前記アップリンク信号を送信するためのターゲットビーム又はターゲットビームグループとして確定することを含むことを特徴とする
請求項２に記載の方法。
【請求項４】
前記端末装置が前記ネットワーク側装置から送信された第一の情報を受信する前に、前記方法はさらに、
前記端末装置が異なるビーム又はビームグループを用いて前記ネットワーク側装置へ前記複数の検出信号を送信することを含むことを特徴とする
請求項２又は３に記載の方法。
【請求項５】
前記ターゲット検出信号は予め定義された検出信号グループのうちの少なくとも一つの検出信号であり、前記第一の情報は具体的に、予め定義された検出信号グループでの前記ターゲット検出信号のインデックスを示すことに用いられることを特徴とする
請求項２−４のいずれか一項に記載の方法。
【請求項６】
前記第一の情報はビットマップ情報であり、前記ビットマップ情報が、前記ターゲット検出信号が予め定義された検出信号グループのうちの少なくとも一つの検出信号であることを示すことに用いられることを特徴とする
請求項２−４のいずれか一項に記載の方法。
【請求項７】
前記第一の情報は具体的に予め定義された複数の検出信号グループでの前記ターゲット検出信号グループのインデックスを示すことに用いられることを特徴とする
請求項２−４のいずれか一項に記載の方法。
【請求項８】
前記第一の情報は、前記端末装置が前記ネットワーク側装置へアップリンク信号を送信するためのビーム又はビームグループを示すことに用いられることを特徴とする
請求項１に記載の方法。
【請求項９】
前記ターゲットビームは予め定義されたビームグループのうちの少なくとも一つのビームであり、前記第一の情報は具体的に、予め定義されたビームグループでの前記ターゲットビームのインデックスを示すことに用いられることを特徴とする
請求項８に記載の方法。
【請求項１０】
前記第一の情報はビットマップ情報であり、前記ビットマップ情報が、前記ターゲットビームが予め定義されたビームグループのうちの少なくとも一つのビームであることを示すことに用いられることを特徴とする
請求項８に記載の方法。 
【請求項１１】
前記第一の情報は具体的に予め定義された複数のビームグループでの前記ターゲットビームグループのインデックスを示すことに用いられることを特徴とする
請求項８に記載の方法。
【請求項１２】
前記端末装置が前記ターゲットビーム又はターゲットビームグループを用いて前記ネットワーク側装置へ前記アップリンク信号を送信することは、
前記端末装置が前記ターゲットビーム又はターゲットビームグループに対応するフォーミング重み値に基づき、前記アップリンク信号に対してビームフォーミングを行い、フォーミングされたアップリンク信号を得ることと、
前記端末装置が前記ネットワーク側装置へ前記フォーミングされたアップリンク信号を送信することとを含むことを特徴とする
請求項１−１１のいずれか一項に記載の方法。
【請求項１３】
前記端末装置が前記ターゲットビーム又はターゲットビームグループを用いて前記ネットワーク側装置へ前記アップリンク信号を送信することは、
前記端末装置が前記ターゲットビームグループのうちの少なくとも一つを用い、前記ネットワーク側装置へ前記アップリンク信号を送信することを含むことを特徴とする
請求項１−１２のいずれか一項に記載の方法。
【請求項１４】
前記端末装置が前記ターゲットビーム又はターゲットビームグループを用いて前記ネットワーク側装置へ前記アップリンク信号を送信することは、
前記端末装置が前記ターゲットビーム又はターゲットビームグループにおける異なるビームで前記アップリンク信号を送信し、ここで、異なるビームで送信される前記アップリンク信号が異なる時間周波数リソースで伝送されることを含むことを特徴とする
請求項１−１３のいずれか一項に記載の方法。
【請求項１５】
異なるビームで送信されるアップリンク信号は同じ時間領域伝送ユニットと異なる周波数領域伝送ユニットで伝送され、又は、異なるビームで送信されるアップリンク信号は同じ周波数領域伝送ユニットと異なる時間領域伝送ユニットで伝送されることを特徴とする
請求項１４に記載の方法。
【請求項１６】
前記アップリンク信号はアップリンクデータ、アップリンク制御信号、アップリンクパイロット信号及びアップリンクランダムアクセス信号のうちのいずれか一つであることを特徴とする
請求項１−１５のいずれか一項に記載の方法。
【請求項１７】
前記アップリンク信号がアップリンクデータであり、前記ターゲットビームグループにおける第一のビームが前記アップリンクデータの初回伝送に用いられ、前記ターゲットビームグループにおける他のビームが前記アップリンクデータの可能な自動再送リクエスト（ＨＡＲＱ）再送に用いられることを特徴とする
請求項１６に記載の方法。
【請求項１８】
前記アップリンク信号がアップリンクデータであり、前記ターゲットビームグループにおける第一のビームが前記アップリンクデータの初回伝送及び可能なＨＡＲＱ再送に用いられることを特徴とする
請求項１６に記載の方法。
【請求項１９】
前記アップリンク信号がアップリンクデータであり、前記ターゲットビームが予め定義されたビームグループのうちの少なくとも一つのビームであり、前記ターゲットビームが前記アップリンクデータの初回伝送に用いられ、前記予め定義されたビームグループにおける前記ターゲットビーム以外のビームが前記アップリンクデータの可能なＨＡＲＱ再送に用いられることを特徴とする
請求項１６に記載の方法。
【請求項２０】
前記端末装置が前記ターゲットビーム又はターゲットビームグループを用いて前記ネットワーク側装置へ前記アップリンク信号を送信することは、
前記端末装置が前記ターゲットビーム又はターゲットビームグループにおける異なるビームで前記アップリンク信号を送信し、ここで、異なるビームで送信される前記アップリンク信号のサービスタイプが異なることを含むことを特徴とする
請求項１−１９のいずれか一項に記載の方法。
【請求項２１】
前記端末装置が前記ターゲットビーム又はターゲットビームグループを用いて前記ネットワーク側装置へ前記アップリンク信号を送信することは、
前記端末装置が前記ターゲットビーム又はターゲットビームグループにおける異なるビームで前記アップリンク信号を送信し、ここで、前記異なるビームで送信される前記アップリンク信号のためのサブ搬送波間隔が異なることを含むことを特徴とする
請求項１−１９のいずれか一項に記載の方法。
【請求項２２】
前記第一の情報は前記ネットワーク側装置から前記端末装置に送信されたダウンリンク制御情報（ＤＣＩ）に含まれることを特徴とする
請求項１−２１のいずれか一項に記載の方法。
【請求項２３】
アップリンク信号を伝送するための方法であって、
ネットワーク側装置が第一の情報を確定し、前記第一の情報が、前記端末装置が前記ネットワーク側装置へアップリンク信号を送信するためのビーム又はビームグループを確定するために用いられることと、
前記ネットワーク側装置が前記端末装置へ前記第一の情報を送信することと、
前記ネットワーク側装置が、前記端末装置がターゲットビーム又はターゲットビームグループを用いて送信した前記アップリンク信号を受信し、ここで、前記ターゲットビーム又はターゲットビームグループが、前記第一の情報に基づいて前記端末装置によって確定されることとを含む、前記アップリンク信号を伝送するための方法。
【請求項２４】
前記第一の情報は、前記端末装置から前記ネットワーク側装置に送信された複数の検出信号のうちのターゲット検出信号又はターゲット検出信号グループを示すことに用いられることを特徴とする
請求項２３に記載の方法。
【請求項２５】
前記ネットワーク側装置が前記端末装置へ前記第一の情報を送信する前に、前記方法はさらに、
前記ネットワーク側装置が、前記端末装置が異なるビーム又はビームグループを用いて前記ネットワーク側装置に送信した前記複数の検出信号を受信することを含むことを特徴とする
請求項２４に記載の方法。
【請求項２６】
前記ターゲット検出信号は予め定義された検出信号グループのうちの少なくとも一つの検出信号であり、前記第一の情報は具体的に、予め定義された検出信号グループでの前記ターゲット検出信号のインデックスを示すことに用いられることを特徴とする
請求項２４又は２５に記載の方法。
【請求項２７】
前記第一の情報はビットマップ情報であり、前記ビットマップ情報が、前記ターゲット検出信号が予め定義された検出信号グループのうちの少なくとも一つの検出信号であることを示すことに用いられることを特徴とする
請求項２４又は２５に記載の方法。
【請求項２８】
前記第一の情報は具体的に予め定義された複数の検出信号グループでの前記ターゲット検出信号グループのインデックスを示すことに用いられることを特徴とする
請求項２４又は２５に記載の方法。
【請求項２９】
前記第一の情報は、前記端末装置が前記ネットワーク側装置へアップリンク信号を送信するためのビーム又はビームグループを示すことに用いられることを特徴とする
請求項２３に記載の方法。
【請求項３０】
前記ターゲットビームは予め定義されたビームグループのうちの少なくとも一つのビームであり、前記第一の情報は具体的に、予め定義されたビームグループでの前記ターゲットビームのインデックスを示すことに用いられることを特徴とする
請求項２９に記載の方法。
【請求項３１】
前記第一の情報はビットマップ情報であり、前記ビットマップ情報が、前記ターゲットビームが予め定義されたビームグループのうちの少なくとも一つのビームであることを示すことに用いられることを特徴とする
請求項２９に記載の方法。
【請求項３２】
前記第一の情報は具体的に予め定義された複数のビームグループでの前記ターゲットビームグループのインデックスを示すことに用いられることを特徴とする請求項２９に記載の方法。
【請求項３３】
前記アップリンク信号はアップリンクデータ、アップリンク制御信号、アップリンクパイロット信号及びアップリンクランダムアクセス信号のうちのいずれか一つであることを特徴とする
請求項２３−３２のいずれか一項に記載の方法。
【請求項３４】
前記アップリンク信号がアップリンクデータであり、前記ターゲットビームグループにおける第一のビームが前記アップリンクデータの初回伝送に用いられ、前記ターゲットビームグループにおける他のビームが前記アップリンクデータの可能な自動再送リクエスト（ＨＡＲＱ）再送に用いられることを特徴とする
請求項３３に記載の方法。
【請求項３５】
前記アップリンク信号がアップリンクデータであり、前記ターゲットビームグループにおける第一のビームが前記アップリンクデータの初回伝送及び可能なＨＡＲＱ再送に用いられることを特徴とする
請求項３３に記載の方法。
【請求項３６】
前記アップリンク信号がアップリンクデータであり、前記ターゲットビームが予め定義されたビームグループのうちの少なくとも一つのビームであり、前記ターゲットビームが前記アップリンクデータの初回伝送に用いられ、前記予め定義されたビームグループにおける前記ターゲットビーム以外のビームが前記アップリンクデータの可能なＨＡＲＱ再送に用いられることを特徴とする
請求項３３に記載の方法。
【請求項３７】
前記第一の情報は前記ネットワーク側装置から前記端末装置に送信されたダウンリンク制御情報（ＤＣＩ）に含まれることを特徴とする
請求項２３−３６のいずれか一項に記載の方法。
【請求項３８】
端末装置であって、
ネットワーク側装置から送信された第一の情報を受信するように構成され、前記第一の情報が、前記端末装置が前記ネットワーク側装置へアップリンク信号を送信するためのビーム又はビームグループを確定するために用いられる受信モジュールと、
前記第一の情報に基づき、前記アップリンク信号を送信するためのターゲットビーム又はターゲットビームグループを確定するように構成される確定モジュールと、
前記ターゲットビーム又はターゲットビームグループを用いて前記ネットワーク側装置へ前記アップリンク信号を送信するように構成される送信モジュールとを備える、前記端末装置。
【請求項３９】
前記第一の情報は、前記端末装置から前記ネットワーク側装置に送信された複数の検出信号のうちのターゲット検出信号又はターゲット検出信号グループを示すことに用いられることを特徴とする
請求項３８に記載の端末装置。
【請求項４０】
前記確定モジュールは具体的に、
前記ターゲット検出信号又はターゲット検出信号グループに対応するビーム又はビームグループを、前記アップリンク信号を送信するためのターゲットビーム又はターゲットビームグループとして確定するように構成されることを特徴とする
請求項３９に記載の端末装置。
【請求項４１】
前記受信モジュールが前記ネットワーク側装置から送信された第一の情報を受信する前に、前記送信モジュールはさらに、異なるビーム又はビームグループを用いて前記ネットワーク側装置へ前記複数の検出信号を送信するように構成されることを含むことを特徴とする
請求項３９又は４０に記載の端末装置。
【請求項４２】
前記ターゲット検出信号は予め定義された検出信号グループのうちの少なくとも一つの検出信号であり、前記第一の情報は具体的に、予め定義された検出信号グループでの前記ターゲット検出信号のインデックスを示すことに用いられることを特徴とする
請求項３９−４１のいずれか一項に記載の端末装置。
【請求項４３】
前記第一の情報はビットマップ情報であり、前記ビットマップ情報が、前記ターゲット検出信号が予め定義された検出信号グループのうちの少なくとも一つの検出信号であることを示すことに用いられることを特徴とする
請求項３９−４１のいずれか一項に記載の端末装置。
【請求項４４】
前記第一の情報は具体的に予め定義された複数の検出信号グループでの前記ターゲット検出信号グループのインデックスを示すことに用いられることを特徴とする
請求項３９−４１のいずれか一項に記載の端末装置。
【請求項４５】
前記第一の情報は、前記端末装置が前記ネットワーク側装置へアップリンク信号を送信するためのビーム又はビームグループを示すことに用いられることを特徴とする
請求項３８に記載の端末装置。
【請求項４６】
前記ターゲットビームは予め定義されたビームグループのうちの少なくとも一つのビームであり、前記第一の情報は具体的に、予め定義されたビームグループでの前記ターゲットビームのインデックスを示すことに用いられることを特徴とする
請求項４５に記載の端末装置。
【請求項４７】
前記第一の情報はビットマップ情報であり、前記ビットマップ情報が、前記ターゲットビームが予め定義されたビームグループのうちの少なくとも一つのビームであることを示すことに用いられることを特徴とする
請求項４５に端末装置。
【請求項４８】
前記第一の情報は具体的に予め定義された複数のビームグループでの前記ターゲットビームグループのインデックスを示すことに用いられることを特徴とする
請求項４５に記載の端末装置。
【請求項４９】
前記端末装置はさらに、
前記ターゲットビーム又はターゲットビームグループに対応するフォーミング重み値に基づき、前記アップリンク信号に対してビームフォーミングを行い、フォーミングされたアップリンク信号を得るように構成される処理モジュールを備え、
前記送信モジュールは、具体的に前記ネットワーク側装置へ前記フォーミングされたアップリンク信号を送信するように構成されることを特徴とする
請求項３８−４８のいずれか一項に記載の端末装置。
【請求項５０】
前記送信モジュールは具体的に、
前記ターゲットビームグループのうちの少なくとも一つを用い、前記ネットワーク側装置へ前記アップリンク信号を送信するように構成されることを特徴とする
請求項３８−４９のいずれか一項に記載の端末装置。
【請求項５１】
前記送信モジュールは具体的に、
前記ターゲットビーム又はターゲットビームグループにおける異なるビームで前記アップリンク信号を送信するように構成され、ここで、異なるビームで送信される前記アップリンク信号が異なる時間周波数リソースで伝送されることを特徴とする
請求項３８−５０のいずれか一項に記載の端末装置。
【請求項５２】
異なるビームで送信される前記アップリンク信号は同じ時間領域伝送ユニットと異なる周波数領域伝送ユニットで伝送され、又は、異なるビームで送信される前記アップリンク信号は同じ周波数領域伝送ユニットと異なる時間領域伝送ユニットで伝送されることを特徴とする
請求項５１に記載の端末装置。
【請求項５３】
前記アップリンク信号はアップリンクデータ、アップリンク制御信号、アップリンクパイロット信号及びアップリンクランダムアクセス信号のうちのいずれか一つであることを特徴とする
請求項３８−５２のいずれか一項に記載の端末装置。
【請求項５４】
前記アップリンク信号がアップリンクデータであり、前記ターゲットビームグループにおける第一のビームが前記アップリンクデータの初回伝送に用いられ、前記ターゲットビームグループにおける他のビームが前記アップリンクデータの可能な自動再送リクエスト（ＨＡＲＱ）再送に用いられることを特徴とする
請求項５３に記載の端末装置。
【請求項５５】
前記アップリンク信号がアップリンクデータであり、前記ターゲットビームグループにおける第一のビームが前記アップリンクデータの初回伝送及び可能なＨＡＲＱ再送に用いられることを特徴とする
請求項５３に記載の端末装置。
【請求項５６】
前記アップリンク信号がアップリンクデータであり、前記ターゲットビームが予め定義されたビームグループのうちの少なくとも一つのビームであり、前記ターゲットビームが前記アップリンクデータの初回伝送に用いられ、前記予め定義されたビームグループにおける前記ターゲットビーム以外のビームが前記アップリンクデータの可能なＨＡＲＱ再送に用いられることを特徴とする
請求項５３に記載の端末装置。
【請求項５７】
前記送信モジュールは具体的に、
前記ターゲットビーム又はターゲットビームグループにおける異なるビームで前記アップリンク信号を送信するように構成され、ここで、異なるビームで送信される前記アップリンク信号のサービスタイプが異なることを特徴とする
請求項３８−５６のいずれか一項に記載の端末装置。
【請求項５８】
前記送信モジュールは具体的に、
前記ターゲットビーム又はターゲットビームグループにおける異なるビームで前記アップリンク信号を送信するように構成され、ここで、前記異なるビームで送信される前記アップリンク信号のためのサブ搬送波間隔が異なることを特徴とする
請求項３８−５６のいずれか一項に記載の端末装置。
【請求項５９】
前記第一の情報は前記ネットワーク側装置から前記端末装置に送信されたダウンリンク制御情報（ＤＣＩ）に含まれることを特徴とする
請求項３８−５８のいずれか一項に記載の端末装置。
【請求項６０】
ネットワーク側装置であって、
第一の情報を生成するように構成され、前記第一の情報が、前記端末装置が前記ネットワーク側装置へアップリンク信号を送信するためのビーム又はビームグループを確定するために用いられる確定モジュールと、
前記端末装置へ前記第一の情報を送信するように構成される送信モジュールと、
前記端末装置がターゲットビーム又はターゲットビームグループを用いて送信した前記アップリンク信号を受信するように構成され、ここで、前記ターゲットビーム又はターゲットビームグループが、前記第一の情報に基づいて前記端末装置によって確定される受信モジュールとを備える、前記ネットワーク側装置。
【請求項６１】
前記第一の情報は、前記端末装置から前記ネットワーク側装置に送信された複数の検出信号のうちのターゲット検出信号又はターゲット検出信号グループを示すことに用いられることを特徴とする
請求項６０に記載のネットワーク側装置。
【請求項６２】
前記送信モジュールが前記端末装置へ前記第一の情報を送信する前に、前記受信モジュールはさらに前記端末装置が異なるビーム又はビームグループを用いて前記ネットワーク側装置に送信した前記複数の検出信号を受信するように構成されることを特徴とする
請求項６１に記載のネットワーク側装置。
【請求項６３】
前記ターゲット検出信号は予め定義された検出信号グループのうちの少なくとも一つの検出信号であり、前記第一の情報は具体的に、予め定義された検出信号グループでの前記ターゲット検出信号のインデックスを示すことに用いられることを特徴とする
請求項６１又は６２に記載のネットワーク側装置。
【請求項６４】
前記第一の情報はビットマップ情報であり、前記ビットマップ情報が、前記ターゲット検出信号が予め定義された検出信号グループのうちの少なくとも一つの検出信号であることを示すことに用いられることを特徴とする
請求項６１又は６２に記載のネットワーク側装置。
【請求項６５】
前記第一の情報は具体的に予め定義された複数の検出信号グループでの前記ターゲット検出信号グループのインデックスを示すことに用いられることを特徴とする
請求項６１又は６２に記載のネットワーク側装置。
【請求項６６】
前記第一の情報は、前記端末装置が前記ネットワーク側装置へアップリンク信号を送信するためのビーム又はビームグループを示すことに用いられることを特徴とする
請求項６０に記載のネットワーク側装置。
【請求項６７】
前記ターゲットビームは予め定義されたビームグループのうちの少なくとも一つのビームであり、前記第一の情報は具体的に、予め定義されたビームグループでの前記ターゲットビームのインデックスを示すことに用いられることを特徴とする
請求項６６に記載のネットワーク側装置。
【請求項６８】
前記第一の情報はビットマップ情報であり、前記ビットマップ情報が、前記ターゲットビームが予め定義されたビームグループのうちの少なくとも一つのビームであることを示すことに用いられることを特徴とする
請求項６６にネットワーク側装置。
【請求項６９】
前記第一の情報は具体的に予め定義された複数のビームグループでの前記ターゲットビームグループのインデックスを示すことに用いられることを特徴とする
請求項６６に記載のネットワーク側装置。
【請求項７０】
前記アップリンク信号はアップリンクデータ、アップリンク制御信号、アップリンクパイロット信号及びアップリンクランダムアクセス信号のうちのいずれか一つであることを特徴とする
請求項６０−６９のいずれか一項に記載のネットワーク側装置。
【請求項７１】
前記アップリンク信号がアップリンクデータであり、前記ターゲットビームグループにおける第一のビームが前記アップリンクデータの初回伝送に用いられ、前記ターゲットビームグループにおける他のビームが前記アップリンクデータの可能な自動再送リクエスト（ＨＡＲＱ）再送に用いられることを特徴とする
請求項７０に記載のネットワーク側装置。
【請求項７２】
前記アップリンク信号がアップリンクデータであり、前記ターゲットビームグループにおける第一のビームが前記アップリンクデータの初回伝送及び可能なＨＡＲＱ再送に用いられることを特徴とする
請求項７０に記載のネットワーク側装置。
【請求項７３】
前記アップリンク信号がアップリンクデータであり、前記ターゲットビームが予め定義されたビームグループのうちの少なくとも一つのビームであり、前記ターゲットビームが前記アップリンクデータの初回伝送に用いられ、前記予め定義されたビームグループにおける前記ターゲットビーム以外のビームが前記アップリンクデータの可能なＨＡＲＱ再送に用いられることを特徴とする
請求項７０に記載のネットワーク側装置。
【請求項７４】
前記第一の情報は前記ネットワーク側装置から前記端末装置に送信されたダウンリンク制御情報（ＤＣＩ）に含まれることを特徴とする
請求項６０-７３のいずれか一項に記載のネットワーク側装置。
【発明の詳細な説明】
【技術分野】
【０００１】
本発明は、通信分野に関し、且つより具体的には、アップリンク信号を伝送するための方法、端末装置とネットワーク側装置に関する。
【背景技術】
【０００２】
端末装置はネットワーク側装置へアップリンク信号を伝送する時に、ビームフォーミング技術を用いてアップリンク信号の伝送性能を向上させることができる。しかし、端末装置はビーム又はビームグループを用いてネットワーク側装置へアップリンク信号を伝送する時に、ネットワーク側に指向するビーム又はビームグループを知らない可能性があり、したがって、端末装置はネットワーク側装置へアップリンク信号を送信するためのビーム又はビームグループを確定することができ、ネットワーク側装置は端末装置から送信されたアップリンク信号を正確に受信することができるように、アップリンク信号を伝送するための方法を提供する必要がある。
【発明の概要】
【発明が解決しようとする課題】
【０００３】
本発明の実施例は、アップリンク信号へのネットワーク側装置の受信性能を向上させるように、アップリンク信号を伝送するための方法、端末装置とネットワーク側装置を提供する。
【課題を解決するための手段】
【０００４】
第一の態様によるアップリンク信号を伝送するための方法は、端末装置がネットワーク側装置から送信された第一の情報を受信し、前記第一の情報が、前記端末装置が前記ネットワーク側装置へアップリンク信号を送信するためのビーム又はビームグループを確定するために用いられることと、前記端末装置が前記第一の情報に基づき、前記アップリンク信号を送信するためのターゲットビーム又はターゲットビームグループを確定することと、前記端末装置が前記ターゲットビーム又はターゲットビームグループを用いて前記ネットワーク側装置へ前記アップリンク信号を送信することとを含む。
【０００５】
理解すべきものとして、ここでの第一の情報は、端末装置がネットワーク側装置へアップリンク信号を伝送するためのビーム又はビームグループを直接示すことができ、端末装置がネットワーク側装置へアップリンク信号を伝送するためのビーム又はビームグループを間接的に示すこともできる。
【０００６】
ネットワーク側装置は第一の情報により、現在のアップリンク伝送のためのビーム又はビームグループを端末装置に通知することができ、これにより、端末装置は第一の情報に基づいて確定されたターゲットビーム又はターゲットビームグループでネットワーク側へアップリンク信号を送信することができ、それによってアップリンク信号へのネットワーク側装置の受信性能が向上する。
【０００７】
第一の態様と組み合わせ、第一の態様のいくつかの実施形態では、前記第一の情報は、前記端末装置から前記ネットワーク側装置に送信された複数の検出信号のうちのターゲット検出信号又はターゲット検出信号グループを示すことに用いられる。
【０００８】
第一の態様と組み合わせ、第一の態様のいくつかの実施形態では、前記端末装置が前記第一の情報に基づき、前記アップリンク信号を送信するためのターゲットビーム又はターゲットビームグループを確定することは、前記端末装置が前記ターゲット検出信号又はターゲット検出信号グループに対応するビーム又はビームグループを、前記アップリンク信号を送信するためのターゲットビーム又はターゲットビームグループとして確定することを含む。
【０００９】
第一の態様と組み合わせ、第一の態様のいくつかの実施形態では、前記端末装置が前記ネットワーク側装置から送信された第一の情報を受信する前に、前記方法はさらに前記端末装置が異なるビーム又はビームグループを用いて前記ネットワーク側装置へ前記複数の検出信号を送信することを含む。
【００１０】
第一の態様と組み合わせ、第一の態様のいくつかの実施形態では、前記ターゲット検出信号は予め定義された検出信号グループのうちの少なくとも一つの検出信号であり、前記第一の情報は具体的に、予め定義された検出信号グループでの前記ターゲット検出信号のインデックスを示すことに用いられる。
【００１１】
第一の態様と組み合わせ、第一の態様のいくつかの実施形態では、前記第一の情報はビットマップ情報であり、前記ビットマップ情報が、前記ターゲット検出信号が予め定義された検出信号グループのうちの少なくとも一つの検出信号であることを示すことに用いられる。
【００１２】
第一の態様と組み合わせ、第一の態様のいくつかの実施形態では、前記第一の情報は具体的に、予め定義された複数の検出信号グループでの前記ターゲット検出信号グループのインデックスを示すことに用いられる。
【００１３】
第一の態様のいくつかの実施形態では、前記端末装置は前記第一の情報のためのリソース、及び前記第一の情報のためのリソースとターゲット検出信号又はターゲット検出信号グループとの対応関係に基づき、前記検出信号又は検出信号グループを確定する。
【００１４】
第一の態様と組み合わせ、第一の態様のいくつかの実施形態では、前記第一の情報は、前記端末装置が前記ネットワーク側装置へアップリンク信号を送信するためのビーム又はビームグループを示すことに用いられる。
【００１５】
第一の態様と組み合わせ、第一の態様のいくつかの実施形態では、前記ターゲットビームは予め定義されたビームグループのうちの少なくとも一つのビームであり、前記第一の情報は具体的に、予め定義されたビームグループでの前記ターゲットビームのインデックスを示すことに用いられる。
【００１６】
第一の態様と組み合わせ、第一の態様のいくつかの実施形態では、前記第一の情報はビットマップ情報であり、前記ビットマップ情報が、前記ターゲットビームが予め定義されたビームグループのうちの少なくとも一つのビームであることを示すことに用いられる。
【００１７】
第一の態様と組み合わせ、第一の態様のいくつかの実施形態では、前記第一の情報は具体的に、予め定義された複数のビームグループでの前記ターゲットビームグループのインデックスを示すことに用いられる。
【００１８】
第一の態様のいくつかの実施形態では、前記端末装置は前記第一の情報のためのリソース、及び前記第一の情報のためのリソースとターゲットビーム又はターゲットビームグループとの対応関係に基づき、前記ターゲットビーム又はターゲットビームグループを確定する。
【００１９】
第一の態様と組み合わせ、第一の態様のいくつかの実施形態では、前記端末装置が前記ターゲットビーム又はターゲットビームグループを用いて前記ネットワーク側装置へ前記アップリンク信号を送信することは、前記端末装置が前記ターゲットビーム又はターゲットビームグループに対応するフォーミング重み値に基づき、前記アップリンク信号をフォーミングし、フォーミングされたアップリンク信号を得ることと、前記端末装置が前記ネットワーク側装置へ前記フォーミングされたアップリンク信号を送信することとを含む。
【００２０】
第一の態様と組み合わせ、第一の態様のいくつかの実施形態では、前記端末装置が前記ターゲットビーム又はターゲットビームグループを用いて前記ネットワーク側装置へ前記アップリンク信号を送信することは、
前記端末装置が前記ターゲットビームグループのうちの少なくとも一つを用い、前記ネットワーク側装置へ前記アップリンク信号を送信することを含む。
【００２１】
第一の態様と組み合わせ、第一の態様のいくつかの実施形態では、前記端末装置が前記ターゲットビーム又はターゲットビームグループを用いて前記ネットワーク側装置へ前記アップリンク信号を送信することは、前記端末装置が前記ターゲットビーム又はターゲットビームグループにおける異なるビームで前記アップリンク信号を送信し、ここで、異なるビームで送信される前記アップリンク信号が異なる時間周波数リソースで伝送されることを含む。
【００２２】
第一の態様と組み合わせ、第一の態様のいくつかの実施形態では、異なるビームで送信されるアップリンク信号は同じ時間領域伝送ユニットと異なる周波数領域伝送ユニットで伝送され、又は、異なるビームで送信されるアップリンク信号は同じ周波数領域伝送ユニットと異なる時間領域伝送ユニットで伝送される。
【００２３】
第一の態様と組み合わせ、第一の態様のいくつかの実施形態では、前記アップリンク信号はアップリンクデータ、アップリンク制御信号、アップリンクパイロット信号及びアップリンクランダムアクセス信号のうちのいずれか一つである。
【００２４】
第一の態様と組み合わせ、第一の態様のいくつかの実施形態では、前記アップリンク信号がアップリンクデータであり、前記ターゲットビームグループにおける第一のビームが前記アップリンクデータの初回伝送に用いられ、前記ターゲットビームグループにおける他のビームが前記アップリンクデータの可能な自動再送リクエスト（ＨＡＲＱ）再送に用いられる。
【００２５】
第一の態様と組み合わせ、第一の態様のいくつかの実施形態では、前記アップリンク信号がアップリンクデータであり、前記ターゲットビームグループにおける第一のビームが前記アップリンクデータの初回伝送及び可能なＨＡＲＱ再送に用いられる。
【００２６】
第一の態様と組み合わせ、第一の態様のいくつかの実施形態では、前記アップリンク信号がアップリンクデータであり、前記ターゲットビームが予め定義されたビームグループのうちの少なくとも一つのビームであり、前記ターゲットビームが前記アップリンクデータの初回伝送に用いられ、前記予め定義されたビームグループにおける前記ターゲットビーム以外のビームが前記アップリンクデータの可能なＨＡＲＱ再送に用いられる。
【００２７】
第一の態様と組み合わせ、第一の態様のいくつかの実施形態では、前記端末装置が前記ターゲットビーム又はターゲットビームグループを用いて前記ネットワーク側装置へ前記アップリンク信号を送信することは、前記端末装置が前記ターゲットビーム又はターゲットビームグループにおける異なるビームで前記アップリンク信号を送信し、ここで、異なるビームで送信される前記アップリンク信号のサービスタイプが異なることを含む。
【００２８】
第一の態様と組み合わせ、第一の態様のいくつかの実施形態では、前記端末装置が前記ターゲットビーム又はターゲットビームグループを用いて前記ネットワーク側装置へ前記アップリンク信号を送信することは、前記端末装置が前記ターゲットビーム又はターゲットビームグループにおける異なるビームで前記アップリンク信号を送信し、ここで、前記異なるビームで送信される前記アップリンク信号のためのサブ搬送波間隔が異なることを含む。
【００２９】
第一の態様と組み合わせ、第一の態様のいくつかの実施形態では、前記第一の情報は前記ネットワーク側装置から前記端末装置に送信されたダウンリンク制御情報（ＤＣＩ）に含まれる。
【００３０】
第二の態様によるアップリンク信号を伝送するための方法は、ネットワーク側装置が第一の情報を確定し、前記第一の情報が、前記端末装置が前記ネットワーク側装置へアップリンク信号を送信するためのビーム又はビームグループを確定するために用いられることと、前記ネットワーク側装置が前記端末装置へ前記第一の情報を送信することと、前記ネットワーク側装置が、前記端末装置がターゲットビーム又はターゲットビームグループを用いて送信した前記アップリンク信号を受信し、ここで、前記ターゲットビーム又はターゲットビームグループが前記第一の情報に基づいて前記端末装置によって確定されるものであることとを含む。
【００３１】
ネットワーク側装置は第一の情報により、現在のアップリンク伝送のためのビーム又はビームグループを端末装置に通知することができ、これにより、端末装置は第一の情報に基づいて確定されたターゲットビーム又はターゲットビームグループでネットワーク側へアップリンク信号を送信することができ、それによってアップリンク信号へのネットワーク側装置の受信性能が向上する。
【００３２】
第二の態様と組み合わせ、第二の態様のいくつかの実施形態では、前記第一の情報は、前記端末装置から前記ネットワーク側装置に送信された複数の検出信号のうちのターゲット検出信号又はターゲット検出信号グループを示すことに用いられる。
【００３３】
第二の態様と組み合わせ、第二の態様のいくつかの実施形態では、前記ネットワーク側装置が前記端末装置へ第一の情報を送信する前に、前記方法はさらに前記ネットワーク側装置が、前記端末装置が異なるビーム又はビームグループを用いて前記ネットワーク側装置へ送信した前記複数の検出信号を受信することを含む。
【００３４】
第二の態様と組み合わせ、第二の態様のいくつかの実施形態では、前記ターゲット検出信号は予め定義された検出信号グループのうちの少なくとも一つの検出信号であり、前記第一の情報は具体的に、予め定義された検出信号グループでの前記ターゲット検出信号のインデックスを示すことに用いられる。
【００３５】
第二の態様と組み合わせ、第二の態様のいくつかの実施形態では、前記第一の情報はビットマップ情報であり、前記ビットマップ情報が、前記ターゲット検出信号が予め定義された検出信号グループのうちの少なくとも一つの検出信号であることを示すことに用いられる。
【００３６】
第二の態様と組み合わせ、第二の態様のいくつかの実施形態では、前記第一の情報は具体的に、予め定義された複数の検出信号グループでの前記ターゲット検出信号グループのインデックスを示すことに用いられる。
【００３７】
第二の態様と組み合わせ、第二の態様のいくつかの実施形態では、前記第一の情報は、前記端末装置が前記ネットワーク側装置へアップリンク信号を送信するためのビーム又はビームグループを示すことに用いられる。
【００３８】
第二の態様と組み合わせ、第二の態様のいくつかの実施形態では、前記ターゲットビームは予め定義されたビームグループのうちの少なくとも一つのビームであり、前記第一の情報は具体的に、予め定義されたビームグループでの前記ターゲットビームのインデックスを示すことに用いられる。
【００３９】
第二の態様と組み合わせ、第二の態様のいくつかの実施形態では、前記第一の情報はビットマップ情報であり、前記ビットマップ情報が、前記ターゲットビームが予め定義されたビームグループのうちの少なくとも一つのビームであることを示すことに用いられる。
【００４０】
第二の態様と組み合わせ、第二の態様のいくつかの実施形態では、前記第一の情報は具体的に、予め定義された複数のビームグループでの前記ターゲットビームグループのインデックスを示すことに用いられる。
【００４１】
第二の態様と組み合わせ、第二の態様のいくつかの実施形態では、前記アップリンク信号はアップリンクデータ、アップリンク制御信号、アップリンクパイロット信号及びアップリンクランダムアクセス信号のうちのいずれか一つである。
【００４２】
第二の態様と組み合わせ、第二の態様のいくつかの実施形態では、前記アップリンク信号がアップリンクデータであり、前記ターゲットビームグループにおける第一のビームが前記アップリンクデータの初回伝送に用いられ、前記ターゲットビームグループにおける他のビームが前記アップリンクデータの可能な自動再送リクエスト（ＨＡＲＱ）再送に用いられる。
【００４３】
第二の態様と組み合わせ、第二の態様のいくつかの実施形態では、前記アップリンク信号がアップリンクデータであり、前記ターゲットビームグループにおける第一のビームが前記アップリンクデータの初回伝送及び可能なＨＡＲＱ再送に用いられる。
【００４４】
第二の態様と組み合わせ、第二の態様のいくつかの実施形態では、前記アップリンク信号がアップリンクデータであり、前記ターゲットビームが予め定義されたビームグループのうちの少なくとも一つのビームであり、前記ターゲットビームが前記アップリンクデータの初回伝送に用いられ、前記予め定義されたビームグループにおける前記ターゲットビーム以外のビームが前記アップリンクデータの可能なＨＡＲＱ再送に用いられる。
【００４５】
第二の態様と組み合わせ、第二の態様のいくつかの実施形態では、前記第一の情報は前記ネットワーク側装置から前記端末装置に送信されたダウンリンク制御情報（ＤＣＩ）に含まれる。
【００４６】
第三の態様による端末装置は、前記第一の態様における方法を実行するためのモジュールを備える。
【００４７】
第四の態様によるネットワーク側装置は、前記第二の態様における方法を実行するためのモジュールを備える。
【００４８】
第五の態様による端末装置は、メモリ、送受信機とプロセッサを備え、前記メモリがプログラムを記憶することに用いられ、前記プロセッサがプログラムを実行することに用いられ、前記プログラムが実行される場合、前記プロセッサと前記送受信機が前記第一の態様における方法を実行する。
【００４９】
第六の態様によるネットワーク側装置は、メモリ、送受信機とプロセッサを備え、前記メモリがプログラムを記憶することに用いられ、前記プロセッサがプログラムを実行することに用いられ、前記プログラムが実行される場合、前記プロセッサと前記送受信機が前記第二の態様における方法を実行する。
【００５０】
第七の態様によるコンピュータ可読媒体は、装置で実行されるためのプログラムコードを記憶し、前記プログラムコードが第一の態様における方法を実行するための命令を含む。
【００５１】
第八の態様によるコンピュータ可読媒体は、装置で実行されるためのプログラムコードを記憶し、前記プログラムコードが第二の態様における方法を実行するための命令を含む。
【００５２】
第九の態様によるシステムチップは、入力インタフェース、出力インタフェース、プロセッサとメモリを備え、該プロセッサが該メモリでのコードを実行することに用いられ、該コードが実行される場合、該プロセッサが前記第一の態様における端末装置によって実行される各プロセスを実現することができる。
【００５３】
第十の態様によるシステムチップは、入力インタフェース、出力インタフェース、プロセッサとメモリを備え、該プロセッサが該メモリでのコードを実行することに用いられ、該コードが実行される場合、該プロセッサが前記第二の態様におけるネットワーク側装置によって実行される各プロセスを実現することができる。
【図面の簡単な説明】
【００５４】
【図１】本発明の実施例によるアップリンク信号を伝送するための方法の概略フローチャートである。
【図２】本発明の実施例によるアップリンク信号を伝送するための方法の概略フローチャートである。
【図３】本発明の実施例による端末装置の概略構造図である。
【図４】本発明の実施例によるネットワーク側装置の概略構造図である。
【図５】本発明の実施例による端末装置の概略構造図である。
【図６】本発明の実施例によるネットワーク側装置の概略構造図である。
【図７】本発明の実施例によるシステムチップの概略構造図である。
【図８】本発明の実施例によるシステムチップの概略構造図である。
【発明を実施するための形態】
【００５５】
以下に図面を組み合わせながら本発明の実施例によるアップリンク信号を伝送するための方法、端末装置とネットワーク側装置を詳細に説明する。
【００５６】
図１は本発明の実施例によるアップリンク信号を伝送するための方法の概略フローチャートである。図１に示す方法は、１１０〜１３０を含む。
【００５７】
１１０において、端末装置はネットワーク側装置から送信された第一の情報を受信し、前記第一の情報が、前記端末装置が前記ネットワーク側装置へアップリンク信号を送信するためのビーム又はビームグループを確定するために用いられる。
【００５８】
上記ビームが予め定義されたビームグループにおける少なくとも一つのビームであってもよく、上記ビームグループが予め定義された複数のビームグループにおける一つのビームグループであってもよい。
【００５９】
上記アップリンク信号はアップリンクデータ、アップリンク制御信号、アップリンクパイロット信号及びアップリンクランダムアクセス信号のうちのいずれか一つであってもよい。ここで、アップリンク制御信号はＡＣＫ／ＮＡＣＫ情報、チャネル状態情報（ＣＳＩ：Ｃｈａｎｎｅｌ  Ｓｔａｔｅ  Ｉｎｆｏｒｍａｔｉｏｎ）などであってもよい。
【００６０】
１２０において、前記端末装置は前記第一の情報に基づき、前記アップリンク信号を送信するためのターゲットビーム又はターゲットビームグループを確定する。
【００６１】
上記ターゲットビームグループは予め定義されたあるビームグループにおける一つ又は複数のビーム（ターゲットビームの数が一つ又は複数であってもよい）であってもよく、ターゲットビームグループは予め定義されたいくつかのビームグループのうちの一つのビームグループであってもよい。
【００６２】
１３０において、前記端末装置は前記ターゲットビーム又はターゲットビームグループを用いて前記ネットワーク側装置へ前記アップリンク信号を送信する。
【００６３】
本発明の実施例によるアップリンク信号を伝送するための方法では、ネットワーク側装置は第一の情報により、現在のアップリンク伝送のためのビーム又はビームグループを端末装置に通知することができ、これにより、端末装置は第一の情報に基づいて確定されたターゲットビーム又はターゲットビームグループでネットワーク側へアップリンク信号を送信することができ、それによってアップリンク信号へのネットワーク側装置の受信性能が向上する。
【００６４】
いくつかの実施例では、上記第一の情報は、端末装置からネットワーク側装置に送信された検出信号のうちのターゲット検出信号又はターゲット検出信号グループを示すことに用いられる。ここで、第一の情報はターゲット検出信号又はターゲット検出信号グループを示すための指示情報である。端末装置は第一の情報を受信した後、第一の情報に基づいてターゲット検出信号又はターゲット検出信号グループを確定することができ、次に、端末装置はターゲット検出信号又はターゲット検出信号グループに基づいてターゲットビーム又はターゲットビームグループを確定する。即ち、端末装置は、第一の情報に基づいてターゲットビーム又はターゲットビームグループを直接確定することができないが、まず第一の情報によりターゲット検出信号又はターゲット検出信号グループを確定し、次にターゲット検出信号又はターゲット検出信号グループに基づいてターゲットビーム又はターゲットビームグループを間接的に確定する必要がある。
【００６５】
上記ターゲット検出信号は端末装置からネットワーク側装置に送信された複数の検出信号のうちの信号が良い検出信号であってもよく、上記ターゲット検出信号グループは端末装置からネットワーク側に送信された複数の検出信号のうちの信号が良い複数の検出信号からなる検出信号グループであってもよい。
【００６６】
いくつかの実施例では、第一の情報は、端末装置がネットワーク側装置へアップリンク信号を送信するためのビーム又はビームグループを示すことに用いられる。ここで、第一の情報はビーム又はビームグループを直接示すための指示情報である。端末装置が第一の情報を受信した場合、第一の情報の指示に応じてターゲットビーム又はターゲットビームグループを直接確定することができる。
【００６７】
いくつかの実施例では、端末装置がネットワーク側装置から送信された第一の情報を受信する前に、図３の方法はさらに端末装置が異なるビーム又はビームグループを用いてネットワーク側装置へ複数の検出信号を送信することを含む。
【００６８】
いくつかの実施例では、端末装置が第一の情報に基づき、アップリンク信号を送信するためのターゲットビーム又はターゲットビームグループを確定することは、端末装置がターゲット検出信号又はターゲット検出信号グループに対応するビーム又はビームグループを、アップリンク信号を送信するためのターゲットビーム又はターゲットビームグループとして確定することを含む。
【００６９】
上記ターゲット検出信号に対応するビームは、端末装置がネットワーク側装置へターゲット検出信号を送信するためのビームであってもよいく、ターゲット検出信号グループに対応するビームグループは端末装置がネットワーク側装置へターゲット検出信号グループを送信するためのビームグループであってもよい。
【００７０】
例えば、端末装置がそれぞれ４つの異なるビームを用いてネットワーク側装置へ４つの検出基準信号（ＳＲＳ：Ｓｏｕｎｄｉｎｇ  Ｒｅｆｅｒｅｎｃｅ  Ｓｉｇｎａｌ）を送信する場合、ネットワーク側装置は第一の情報により受信品質が最も良いＳＲＳをネットワーク側装置にフィードバックすることができ、このようにしてネットワーク側装置は現在の伝送性能が最も良いビームを知り、そして該ビームをアップリンク信号の伝送に用いることができる。
【００７１】
いくつかの実施例では、第一の情報が端末装置からネットワーク側装置に送信された検出信号のうちのターゲット検出信号又はターゲット検出信号グループの信号を示すことに用いられる場合、第一の情報がターゲット検出信号又はターゲット検出信号グループを示すことは具体的に以下の３つの状況を含む：
（１）ターゲット検出信号は予め定義された検出信号グループのうちの少なくとも一つの検出信号であり、第一の情報は具体的に、予め定義された検出信号グループでのターゲット検出信号のインデックスを示すことに用いられる。
【００７２】
例えば、ターゲット検出信号が予め定義された第一の検出信号グループにおける１番目の検出信号である場合、第一の情報は具体的に第一の検出信号グループでのターゲット検出信号のインデックスが１であることを示すことに用いられ、ターゲット検出信号が第一の検出信号グループにおける１番目又は２番目の検出信号である場合、第一の情報は具体的に第一の検出信号グループでのターゲット検出信号のインデックスが１及び２であることを示すことに用いられる。
【００７３】
（２）第一の情報は具体的に、予め定義された複数の検出信号グループでのターゲット検出信号グループのインデックスを示すことに用いられる。
【００７４】
例えば、ターゲット検出信号グループが予め定義された５つの検出信号グループのうちの２番目の検出信号グループである場合、第一の情報は具体的に、予め定義された５つの検出信号グループでのターゲット検出信号のインデックスが２であることを示すことに用いられる。
【００７５】
（３）第一の情報はビットマップ情報であり、該ビットマップ情報が、ターゲット検出信号が予め定義された検出信号グループのうちの少なくとも一つの検出信号であることを示すことに用いられる。
【００７６】
例えば、予め定義された第一の検出信号グループに合計５つの検出信号が含まれ、ここで、ターゲット検出信号は第一の検出信号グループにおける２番目と３番目の検出信号であり、該ビットマップ情報に合計５つのビットが含まれ、ここで、２番目及び３番目のビット位置が１であり、他のヒット位置が０である。
【００７７】
上記（１）−（３）では、予め定義された検出信号グループ又は予め定義された複数の検出信号グループの配置（例えば伝送のための物理リソース、シーケンスなどの情報）は、ネットワーク側装置によって上位層シグナリングを介して端末装置に通知されてもよいし、ネットワーク側装置と端末装置によって予め定められてもよい。
【００７８】
いくつかの実施例では、第一の情報が、端末装置がネットワーク側装置へアップリンク信号を送信するためのビーム又はビームグループの情報を直接示す場合、第一の指示情報がターゲットビーム又はターゲットビームグループを示すことは、具体的に以下の３つの状況を含む：
（４）ターゲットビームは予め定義されたビームグループのうちの少なくとも一つのビームであり、第一の情報は具体的に、予め定義されたビームグループでの前記ターゲットビームのインデックスを示すことに用いられる。
【００７９】
例えば、ターゲットビームが予め定義された第一のビームグループにおける３番目のビームである場合、第一の情報は具体的に第一のビームグループでのターゲットビームのインデックスが３であることを示すことに用いられ、ターゲットビームが第一のビームグループにおける３番目又は４番目のビームである場合、第一の情報は具体的に第一のビームグループでのターゲットビームのインデックスが３及び４であることを示すことに用いられる。
【００８０】
（５）第一の情報は具体的に、予め定義された複数のビームグループでの前記ターゲットビームグループのインデックスを示すことに用いられる。
【００８１】
例えば、ターゲットビームグループが予め定義された５つのビームグループのうちの３番目の検出信号グループである場合、第一の情報は具体的に、予め定義された５つのビームグループでのターゲットビームグループのインデックスが３であることを示すことに用いられる。
【００８２】
（６）第一の情報はビットマップ情報であり、該ビットマップ情報が、前記ターゲットビームが予め定義されたビームグループのうちの少なくとも一つのビームであることを示すことに用いられる。
【００８３】
例えば、予め定義された第一のビームグループに合計５つのビームが含まれ、ここで、ターゲットビームは第一の検出信号グループにおける２番目と３番目のビームであり、該ビットマップ情報に合計５つのビットが含まれ、ここで、２番目及び３番目のビット位置が１であり、他のヒット位置が０であり、又は２番目及び３番目のビット位置が０であり、他のヒット位置が０である。
【００８４】
上記（４）−（６）では、予め定義されたビームグループ又は予め定義された複数のビームグループの配置（例えば伝送のための物理リソース、シーケンスなどの情報）は、ネットワーク側装置によって上位層シグナリングを介して端末装置に通知されてもよいし、ネットワーク側装置と端末装置によって予め定められてもよい。
【００８５】
いくつかの実施例では、端末装置は第一の情報のためのリソース、及び第一の情報のためのリソースとターゲットビーム又はターゲットビームグループとの対応関係に基づき、ターゲットビーム又はターゲットビームグループを確定することができる。
【００８６】
又は、端末装置は第一の情報のためのリソース、及び第一の情報のためのリソースとターゲット検出信号又はターゲット検出信号グループとの対応関係に基づき、ターゲット検出信号又はターゲット検出信号グループを確定することができる。
【００８７】
具体的には、第一の情報のためのリソースが上記ターゲットビーム又はターゲットビームグループ（又はターゲット検出信号又はターゲット検出信号グループ）と一定の対応関係を有し、このようにして、端末装置は上記第一の情報を受信した後、第一の情報のためのリソースに基づいて対応するターゲットビーム又はターゲットビームグループ（又はターゲット検出信号又はターゲット検出信号グループ）を確定することができる。ここで、第一の情報のためのリソースは時間周波数物理リソース及び／又はシーケンスリソースであっても良い。前記対応関係はネットワーク側装置によって端末装置に予め設定されてもよく、又はネットワーク側装置と端末装置によって予め定められてもよい。
【００８８】
例えば、第一の情報のためのリソースはネットワーク側装置と端末装置によって予め定められた第一のリソースセットの第一のリソースであり、第一のリソースセットの各リソース又はリソースインデックスがターゲット検出信号又は検出信号グループと一定の対応関係を有する。端末装置は第一のリソースセットにおいて第一の情報をブランド検出し、そして検出された第一の情報のための第一のリソースに基づいて対応するターゲット検出信号又はターゲット検出信号グループを確定することができる。
【００８９】
又は、端末装置は第一の情報のための時間領域リソースユニットインデックス（例えばタイムスロットインデックス）、周波数領域リソースインデックス（例えば物理リソースブロックインデックス）又はシーケンスリソースインデックス（例えばシーケンスＩＤ）に基づいて対応するターゲットビーム又はターゲットビームグループを確定し、又は、対応するターゲット検出信号又はターゲット検出信号グループを確定することができる。
【００９０】
いくつかの実施例では、端末装置がターゲットビーム又はターゲットビームグループを用いてネットワーク側装置へアップリンク信号を送信することは、端末装置がターゲットビーム又はターゲットビームグループに対応するフォーミング重み値に基づき、アップリンク信号をフォーミングし、フォーミングされたアップリンク信号を得ることと、端末装置がネットワーク側装置へフォーミングされたアップリンク信号を送信することとを含む。
【００９１】
本発明の実施例では、ターゲットビーム又はターゲットビームグループを用いてアップリンク信号を送信することにより、アップリンク信号へのネットワーク側装置の受信性能を向上させることができる。
【００９２】
いくつかの実施例では、端末装置がターゲットビーム又はターゲットビームグループを用いてネットワーク側装置へアップリンク信号を送信することは、端末装置がターゲットビームグループにおける少なくとも一つのビームを用い、ネットワーク側装置へ前記アップリンク信号を送信することを含む。
【００９３】
選択可能に、端末装置はターゲットビームグループから少なくとも一つのビームをランダムに選択してアップリンク信号を伝送することができる。当然、端末装置は予め設定された方式に従ってターゲットビームグループから少なくとも一つのビームを選択し、例えば、ターゲットビームグループにおける先頭のＫつ（Ｋが１以上の整数である）又は後のＫつのビームを選択してアップリンク信号を伝送することもできる。
【００９４】
端末装置が第一の情報に基づき、アップリンク信号を送信するためのターゲットビームグループを確定する場合、端末装置はターゲットビームグループにおける一つ又は複数のビームを用いてアップリンク信号を送信することができ、即ち、端末装置はターゲットビームグループにおける全て又は一部のビームを用いてアップリンク信号を送信することができる。例えば、アップリンク信号が３つであり、且つターゲットビームグループに５つのビームが含まれる場合、端末装置は５つのビームのうちの３つのビームを用いて３つのアップリンク信号を送信し、アップリンク信号が５つであり、ターゲットビームグループにも５つのビームが含まれる場合、端末装置はターゲットビームグループにおける５つのビームを用いて５つのアップリンク信号をそれぞれ送信する。
【００９５】
いくつかの実施例では、端末装置がターゲットビーム又はターゲットビームグループを用いて前記ネットワーク側装置へアップリンク信号を送信することは、端末装置がターゲットビーム又はターゲットビームグループにおける異なるビームでアップリンク信号を送信し、ここで、異なるビームで送信されるアップリンク信号が異なる時間周波数リソースで伝送されることを含む。
【００９６】
具体的には、異なるビームで送信されるアップリンク信号は同じ時間領域伝送ユニットと異なる周波数領域伝送ユニットで伝送され、又は、異なるビームで送信されるアップリンク信号は同じ周波数領域伝送ユニットと異なる時間領域伝送ユニットで伝送され、又は、異なるビームで送信されるアップリンク信号は異なる周波数領域伝送ユニット又は異なる時間領域伝送ユニットで伝送される。
【００９７】
上記時間領域伝送ユニットはサブフレーム、タイムスロット、短縮タイムスロット、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルなどであってもよい。上記周波数領域伝送ユニットは物理リソースブロック（ＰＲＢ：Ｐｈｙｓｉｃａｌ  Ｒｅｓｏｕｒｃｅ  Ｂｌｏｃｋ）、物理リソースグループ（ＰＲＧ：Ｐｈｙｓｉｃａｌ  Ｒｅｓｏｕｒｃｅ  Ｇｒｏｕｐ）、サブバンド、搬送波などであってもよい。
【００９８】
例えば、上記時間領域伝送ユニットがタイムスロットであり、周波数領域ユニットがＯＦＤＭシンボルである場合、端末装置は同一のタイムスロットにおける異なるＯＦＤＭシンボルで一つのビームグループにおける異なるビームがフォーミングされたアップリンク信号を伝送することができる。また、端末装置は同一のタイムスロットにおける異なる帯域幅で一つのビームグループにおける異なるビームがフォーミングされたアップリンク信号を伝送することができる。
【００９９】
理解すべきものとして、端末装置はターゲットビームグループにおける異なるビームを用いて同じ時間領域リソースでアップリンク信号を送信することができる。また、同じ時間周波数リソースでアップリンク信号を送信する時に空間分割多重又は符号分割多重方式を用いることができる。
【０１００】
いくつかの実施例では、アップリンク信号がアップリンクデータである場合、ネットワーク側装置が端末装置から送信されたアップリンクデータを受信できることを確保するために、アップリンクデータの送信が失敗した場合、端末装置はアップリンクデータのＨＡＲＱ（Ｈｙｂｒｉｄ  Ａｕｔｏ  Ｒｅｐｅａｔ  Ｒｅｑｕｅｓｔ）再送を行う必要がある。端末装置がターゲットビーム又はターゲットビームグループにおける一部又は全てのビームを用いて前記ネットワーク側装置へアップリンクデータを送信するこは、具体的に以下のいくつかの状況を含むことができる：
（７）ターゲットビームグループにおける第一のビームがアップリンクデータの初回伝送に用いられ、ターゲットビームグループにおける他のビームがアップリンクデータの可能なＨＡＲＱ再送に用いられる。
【０１０１】
即ち、端末装置はターゲットビームグループにおける第一のビームを用いてネットワーク側装置へアップリンクデータを送信し、該アップリンクデータの伝送が失敗した場合、端末装置はターゲットビームグループにおける第一のビーム以外のビームを用いてアップリンクデータのＨＡＲＱ再送を行う。
【０１０２】
例えば、端末装置によって許可されたアップリンクデータの最大伝送回数が４であり、ターゲットビームグループに４つのビームが含まれ、ターゲットビームグループにおける１番目のビームがアップリンクデータの初回の伝送に用いられ、アップリンクデータの初回伝送が失敗した場合、ターゲットビームグループにおける２番目のビームがアップリンクデータの初回のＨＡＲＱ伝送に用いられ、初回のＨＡＲＱ再送が失敗した場合、ターゲットビームグループにおける３番目のビームがアップリンクデータの２回目のＨＡＲＱ再送に用いられ、２回目のＨＡＲＱ再送も失敗した場合、ターゲットビームグループにおける４番目のビームがアップリンクデータの３回目のＨＡＲＱ再送に用いられ、この時、３回目のＨＡＲＱ再送の成功に関わらず、端末装置はアップリンクデータのＨＡＲＱの再送を行わなく、これはアップリンクデータの伝送回数が既に端末装置によって許可された最大回数に達したからである。
【０１０３】
（８）ターゲットビームグループにおける第一のビームがアップリンクデータの初回伝送及び可能なＨＡＲＱ再送に用いられる。
【０１０４】
端末装置はターゲットビームグループにおける第一のビームを用いてネットワーク側装置へアップリンクデータを送信し、該アップリンクデータの伝送が失敗した場合、端末装置は依然として第一のビームを用いてアップリンクデータのＨＡＲＱ再送を行う。
【０１０５】
（９）ターゲットビームは予め定義されたビームグループにおける少なくとも一つのビームであり、ターゲットビームは前記アップリンクデータの初回伝送に用いられ、予め定義されたビームグループにおけるターゲットビーム以外のビームは前記アップリンクデータの可能なＨＡＲＱ再送に用いられる。
【０１０６】
端末装置はターゲットビームを用いてアップリンクデータを送信し、該アップリンクデータの伝送が失敗した場合、端末装置は依然としてターゲットビームと同じビームグループに位置する他のビームを用いてアップリンクデータのＨＡＲＱ再送を行う。
【０１０７】
上記の予め定義されたビームグループの配置（例えば伝送のための物理リソース、シーケンスなどの情報）は、ネットワーク側装置によって上位層シグナリングを介して端末装置に通知されてもよいし、ネットワーク側装置と端末装置によって予め定められてもよい。
【０１０８】
いくつかの実施例では、端末装置がターゲットビーム又はターゲットビームグループを用いてネットワーク側装置へアップリンク信号を送信することは、端末装置がターゲットビーム又はターゲットビームグループにおける異なるビームでアップリンク信号を送信し、ここで、異なるビームで送信されるアップリンク信号のサービスタイプが異なることを含む。
【０１０９】
上記アップリンク信号のサービスタイプは長期進化型（ＬＴＥ：Ｌｏｎｇ  Ｔｅｒｍ  Ｅｖｏｌｕｔｉｏｎ）システムサービス、強化型モバイルブロードバンド（ｅＭＢＢ：ｅｎｈａｎｃｅｄ  Ｍｏｂｉｌｅ  Ｂｒｏａｄｂａｎｄ）サービス、超高信頼性及び低遅延通信（ＵＲＬＬＣ：ＵｌｔｒａＲｅｌｉａｂｌｅ  ａｎｄ  Ｌｏｗ  Ｌａｔｅｎｃｙ  Ｃｏｍｍｕｎｉｃａｔｉｏｎ）サービス及び大型機械通信（ｍＭＴＣ：ｍａｓｓｉｖｅ  Ｍａｃｈｉｎｅ  Ｔｙｐｅ  Ｃｏｍｍｕｎｉｃａｔｉｏｎ）サービスを含むことができる。
【０１１０】
いくつかの実施例では、端末装置がターゲットビーム又はターゲットビームグループを用いてネットワーク側装置へアップリンク信号を送信することは、端末装置がターゲットビーム又はターゲットビームグループにおける異なるビームでアップリンク信号を送信し、ここで、異なるビームで送信されるアップリンク信号のためのサブ搬送波間隔が異なることを含む。
【０１１１】
理解すべきものとして、上記アップリンク信号が異なる複数のアップリンク信号である場合、これらのアップリンク信号を伝送する時に異なるサブ搬送波間隔を用いることができ、異なるビームで同じアップリンク信号を伝送する時に同じサブ搬送波間隔を使用することができる。
【０１１２】
いくつかの実施例では、端末装置はネットワーク側装置から送信された復調基準信号（ＤＭＲＳ：Ｄｅ  Ｍｏｄｕｌａｔｉｏｎ  Ｒｅｆｅｒｅｎｃｅ  Ｓｉｇｎａｌ）配置情報を受信し、該ＤＭＲＳ配置情報がサイクリックシフト（ＣＳ：Ｃｙｃｌｉｃ  Ｓｈｉｆｔ）、直交カバーコード（ＯＣＣ：Ｏｒｔｈｏｇｏｎａｌ  Ｃｏｖｅｒ  Ｃｏｄｅ）、シーケンスＩＤのうちの少なくとも一つを受信する。異なるビーム又はビームグループが異なる受信ポイントを指すことができるため、アップリンク信号を伝送するためのビーム又はビームグループが異なる場合、対応する受信ポイントに基づいてＤＭＲＳ配置を行う必要があり、それによって対応する受信ポイントで伝送された他のアップリンク信号の間の直交性が保証される。
【０１１３】
以上に図１を組み合わせて端末装置の観点から本発明の実施例によるアップリンク信号を伝送するための方法を詳細に説明し、以下に図２を組み合わせ、ネットワーク側装置の観点から本発明の実施例によるアップリンク信号を伝送するための方法を説明する。
【０１１４】
理解すべきものとして、ネットワーク側装置から説明される端末装置とネットワーク側装置とのインタラクション及び関連特性、機能などが端末装置側からの説明に対応するため、簡潔にするために、繰り返しの説明を適切に省略する。
【０１１５】
図２は本発明の実施例によるアップリンク信号を伝送するための方法の概略フローチャートである。図２に示す方法は、１１０〜１３０を含む。  ２１０において、ネットワーク側装置は第一の情報を生成し、第一の情報が、端末装置がネットワーク側装置へアップリンク信号を送信するためのビーム又はビームグループを確定するために用いられる。
【０１１６】
２２０において、ネットワーク側装置は端末装置へ第一の情報を送信する。
【０１１７】
２３０において、ネットワーク側装置は端末装置がターゲットビーム又はターゲットビームグループを用いて送信したアップリンク信号を受信し、ここで、ターゲットビーム又はターゲットビームグループが、第一の情報に基づいて端末装置によって確定される。
【０１１８】
本発明の実施例によるアップリンク信号を伝送するための方法では、ネットワーク側装置は第一の情報により、現在のアップリンク伝送のためのビーム又はビームグループを端末装置に通知することができ、これにより、端末装置は第一の情報に基づいて確定されたターゲットビーム又はターゲットビームグループでネットワーク側へアップリンク信号を送信することができ、それによってアップリンク信号へのネットワーク側装置の受信性能が向上する。
【０１１９】
選択可能に、一つの実施例として、前記第一の情報は、前記端末装置から前記ネットワーク側装置に送信された検出信号のうちのターゲット検出信号又はターゲット検出信号グループを示すことに用いられる。
【０１２０】
選択可能に、一つの実施例として、前記ネットワーク側装置が前記端末装置へ第一の情報を送信する前に、前記方法はさらに前記ネットワーク側装置が、前記端末装置が異なるビーム又はビームグループを用いて前記ネットワーク側装置へ送信した複数の検出信号を受信することを含む。
【０１２１】
選択可能に、一つの実施例として、前記ターゲット検出信号は予め定義された検出信号グループのうちの少なくとも一つの検出信号であり、前記第一の情報は具体的に、予め定義された検出信号グループでの前記ターゲット検出信号のインデックスを示すことに用いられる。
【０１２２】
選択可能に、一つの実施例として、前記第一の情報はビットマップ情報であり、前記ビットマップ情報が、前記ターゲット検出信号が予め定義された検出信号グループのうちの少なくとも一つの検出信号であることを示すことに用いられる。
【０１２３】
選択可能に、一つの実施例として、前記第一の情報は具体的に、予め定義された複数の検出信号グループでの前記ターゲット検出信号グループのインデックスを示すことに用いられる。
【０１２４】
選択可能に、一つの実施例として、前記第一の情報は、前記端末装置が前記ネットワーク側装置へアップリンク信号を送信するためのビーム又はビームグループを示すことに用いられる。
【０１２５】
選択可能に、一つの実施例として、前記ターゲットビームは予め定義されたビームグループのうちの少なくとも一つのビームであり、前記第一の情報は具体的に、予め定義されたビームグループでの前記ターゲットビームのインデックスを示すことに用いられる。
【０１２６】
選択可能に、一つの実施例として、前記第一の情報はビットマップ情報であり、前記ビットマップ情報が、前記ターゲットビームが予め定義されたビームグループのうちの少なくとも一つのビームであることを示すことに用いられる。
【０１２７】
選択可能に、一つの実施例として、前記第一の情報は具体的に、予め定義された複数のビームグループでの前記ターゲットビームグループのインデックスを示すことに用いられる。
【０１２８】
選択可能に、一つの実施例として、前記アップリンク信号はアップリンクデータ、アップリンク制御信号、アップリンクパイロット信号及びアップリンクランダムアクセス信号のうちのいずれか一つである。
【０１２９】
選択可能に、一つの実施例として、前記アップリンク信号がアップリンクデータであり、前記ターゲットビームグループにおける第一のビームが前記アップリンクデータの初回伝送に用いられ、前記ターゲットビームグループにおける他のビームが前記アップリンクデータの可能なＨＡＲＱ再送に用いられる。
【０１３０】
選択可能に、一つの実施例として、前記アップリンク信号がアップリンクデータであり、前記ターゲットビームグループにおける第一のビームが前記アップリンクデータの初回伝送及び可能なＨＡＲＱ再送に用いられる。
【０１３１】
選択可能に、一つの実施例として、前記アップリンク信号がアップリンクデータであり、前記ターゲットビームが予め定義されたビームグループのうちの少なくとも一つのビームであり、前記ターゲットビームが前記アップリンクデータの初回伝送に用いられ、前記予め定義されたビームグループにおけるターゲットビーム以外のビームが前記アップリンクデータの可能なＨＡＲＱ再送に用いられる。
【０１３２】
選択可能に、一つの実施例として、前記第一の情報は前記ネットワーク側装置から前記端末装置に送信されたダウンリンク制御情報（ＤＣＩ）に含まれる。
【０１３３】
以上に図１と図２を組み合わせながら本発明の実施例によるアップリンク信号を伝送するための方法を詳細に説明した。以下に図３〜図６を組み合わせながら本発明の実施例による端末装置とネットワーク側装置を詳細に説明する。理解すべきものとして、図３〜図６における端末装置とネットワーク側装置は図１と図２における端末装置とネットワーク側装置によって実行される各ステップを実現することができ、繰り返しを回避するために、ここで詳細な説明を省略する。
【０１３４】
図３は本発明の実施例による端末装置の概略構造図である。図３の端末装置は、
ネットワーク側装置から送信された第一の情報を受信するように構成され、前記第一の情報が、前記端末装置が前記ネットワーク側装置へアップリンク信号を送信するためのビーム又はビームグループを確定するために用いられる受信モジュール１１０と、
前記第一の情報に基づき、前記アップリンク信号を送信するためのターゲットビーム又はターゲットビームグループを確定するように構成される確定モジュール３２０と、
前記ターゲットビーム又はターゲットビームグループを用いて前記ネットワーク側装置へ前記アップリンク信号を送信するように構成される送信モジュール３３０とを備える。
【０１３５】
本発明の実施例では、ネットワーク側装置は第一の情報により、現在のアップリンク伝送のためのビーム又はビームグループを端末装置に通知することができ、これにより、端末装置は第一の情報に基づいて確定されたターゲットビーム又はターゲットビームグループでネットワーク側へアップリンク信号を送信することができ、それによってアップリンク信号へのネットワーク側装置の受信性能が向上する。
【０１３６】
選択可能に、一つの実施例として、前記第一の情報は、前記端末装置から前記ネットワーク側装置に送信された複数の検出信号のうちのターゲット検出信号又はターゲット検出信号グループを示すことに用いられる。
【０１３７】
選択可能に、一つの実施例として、前記確定モジュール３２０は具体的に前記ターゲット検出信号又はターゲット検出信号グループに対応するビーム又はビームグループを、前記アップリンク信号を送信するためのターゲットビーム又はターゲットビームグループとして確定するように構成される。
【０１３８】
選択可能に、一つの実施例として、前記受信モジュール３１０が前記ネットワーク側装置から送信された第一の情報を受信する前に、前記送信モジュール３３０はさらに異なるビーム又はビームグループを用いて前記ネットワーク側装置へ前記複数の検出信号を送信するように構成される。
【０１３９】
選択可能に、一つの実施例として、前記ターゲット検出信号は予め定義された検出信号グループのうちの少なくとも一つの検出信号であり、前記第一の情報は具体的に、予め定義された検出信号グループでの前記ターゲット検出信号のインデックスを示すことに用いられる。
【０１４０】
選択可能に、一つの実施例として、前記第一の情報はビットマップ情報であり、前記ビットマップ情報が、前記ターゲット検出信号が予め定義された検出信号グループのうちの少なくとも一つの検出信号であることを示すことに用いられる。
【０１４１】
選択可能に、一つの実施例として、前記第一の情報は具体的に、予め定義された複数の検出信号グループでの前記ターゲット検出信号グループのインデックスを示すことに用いられる。
【０１４２】
選択可能に、一つの実施例として、前記第一の情報は、前記端末装置が前記ネットワーク側装置へアップリンク信号を送信するためのビーム又はビームグループを示すことに用いられる。
【０１４３】
選択可能に、一つの実施例として、前記ターゲットビームは予め定義されたビームグループのうちの少なくとも一つのビームであり、前記第一の情報は具体的に、予め定義されたビームグループでの前記ターゲットビームのインデックスを示すことに用いられる。
【０１４４】
選択可能に、一つの実施例として、前記第一の情報はビットマップ情報であり、前記ビットマップ情報が、前記ターゲットビームが予め定義されたビームグループのうちの少なくとも一つのビームであることを示すことに用いられる。
【０１４５】
選択可能に、一つの実施例として、前記第一の情報は具体的に、予め定義された複数のビームグループでの前記ターゲットビームグループのインデックスを示すことに用いられる。
【０１４６】
また、一つの実施例として、前記端末装置はさらに、
前記ターゲットビーム又はターゲットビームグループに対応するフォーミング重み値に基づき、前記アップリンク信号に対してビームフォーミングを行い、フォーミングされたアップリンク信号を得るように構成される処理モジュール３４０を備え、
前記送信モジュール３３０は、具体的に前記ネットワーク側装置へ前記フォーミングされたアップリンク信号を送信するように構成される。
【０１４７】
選択可能に、一つの実施例として、前記送信モジュール３３０は、具体的に前記ターゲットビームグループのうちの少なくとも一つを用い、前記ネットワーク側装置へ前記アップリンク信号を送信するように構成される。
【０１４８】
選択可能に、一つの実施例として、前記送信モジュール３３０は、具体的に前記ターゲットビーム又はターゲットビームグループにおける異なるビームで前記アップリンク信号を送信するように構成され、ここで、異なるビームで送信される前記アップリンク信号が異なる時間周波数リソースで伝送される。
【０１４９】
選択可能に、一つの実施例として、異なるビームで送信されるアップリンク信号は同じ時間領域伝送ユニットと異なる周波数領域伝送ユニットで伝送され、又は、異なるビームで送信されるアップリンク信号は同じ周波数領域伝送ユニットと異なる時間領域伝送ユニットで伝送される。
【０１５０】
選択可能に、一つの実施例として、前記アップリンク信号はアップリンクデータ、アップリンク制御信号、アップリンクパイロット信号及びアップリンクランダムアクセス信号のうちのいずれか一つである。
【０１５１】
選択可能に、一つの実施例として、前記アップリンク信号がアップリンクデータであり、前記ターゲットビームグループにおける第一のビームが前記アップリンクデータの初回伝送に用いられ、前記ターゲットビームグループにおける他のビームが前記アップリンクデータの可能なＨＡＲＱ再送に用いられる。
【０１５２】
選択可能に、一つの実施例として、前記アップリンク信号がアップリンクデータであり、前記ターゲットビームグループにおける第一のビームが前記アップリンクデータの初回伝送及び可能なＨＡＲＱ再送に用いられる。
【０１５３】
選択可能に、一つの実施例として、前記アップリンク信号がアップリンクデータであり、前記ターゲットビームが予め定義されたビームグループのうちの少なくとも一つのビームであり、前記ターゲットビームが前記アップリンクデータの初回伝送に用いられ、前記予め定義されたビームグループにおける前記ターゲットビーム以外のビームが前記アップリンクデータの可能なＨＡＲＱ再送に用いられる。
【０１５４】
選択可能に、一つの実施例として、前記送信モジュール３３０は、具体的に前記ターゲットビーム又はターゲットビームグループにおける異なるビームで前記アップリンク信号を送信するように構成され、ここで、異なるビームで送信される前記アップリンク信号のサービスタイプが異なる。
【０１５５】
選択可能に、一つの実施例として、前記送信モジュール３３０は、具体的に前記ターゲットビーム又はターゲットビームグループにおける異なるビームで前記アップリンク信号を送信するように構成され、ここで、前記異なるビームで送信される前記アップリンク信号ののためのサブ搬送波間隔が異なる。
【０１５６】
選択可能に、一つの実施例として、前記第一の情報は前記ネットワーク側装置から前記端末装置に送信されたダウンリンク制御情報（ＤＣＩ）に含まれる。
【０１５７】
図４は本発明の実施例によるネットワーク側装置の概略構造図である。図４のネットワーク側装置４００は、
第一の情報を生成するように構成され、前記第一の情報が、前記端末装置が前記ネットワーク側装置へアップリンク信号を送信するためのビーム又はビームグループを確定するために用いられる確定モジュール４１０と、
前記端末装置へ前記第一の情報を送信するように構成される送信モジュール４２０と、
前記端末装置がターゲットビーム又はターゲットビームグループを用いて送信した前記アップリンク信号を受信するように構成され、ここで、前記ターゲットビーム又はターゲットビームグループが、前記第一の情報に基づいて前記端末装置によって確定される受信モジュール４３０とを備える。
【０１５８】
本発明の実施例では、ネットワーク側装置は第一の情報により、現在のアップリンク伝送のためのビーム又はビームグループを端末装置に通知することができ、これにより、端末装置は第一の情報に基づいて確定されたターゲットビーム又はターゲットビームグループでネットワーク側へアップリンク信号を送信することができ、それによってアップリンク信号へのネットワーク側装置の受信性能が向上する。
【０１５９】
選択可能に、一つの実施例として、前記第一の情報は、前記端末装置から前記ネットワーク側装置に送信された複数の検出信号のうちのターゲット検出信号又はターゲット検出信号グループを示すことに用いられる。
【０１６０】
選択可能に、一つの実施例として、前記送信モジュール４２０が前記端末装置へ前記第一の情報を送信する前に、前記受信モジュール４３０はさらに前記端末装置が異なるビーム又はビームグループを用いて前記ネットワーク側装置に送信した前記複数の検出信号を受信するように構成される。
【０１６１】
選択可能に、一つの実施例として、前記ターゲット検出信号は予め定義された検出信号グループのうちの少なくとも一つの検出信号であり、前記第一の情報は具体的に、予め定義された検出信号グループでの前記ターゲット検出信号のインデックスを示すことに用いられる。
【０１６２】
選択可能に、一つの実施例として、前記第一の情報はビットマップ情報であり、前記ビットマップ情報が、前記ターゲット検出信号が予め定義された検出信号グループのうちの少なくとも一つの検出信号であることを示すことに用いられる。
【０１６３】
選択可能に、一つの実施例として、前記第一の情報は具体的に、予め定義された複数の検出信号グループでの前記ターゲット検出信号グループのインデックスを示すことに用いられる。
【０１６４】
選択可能に、一つの実施例として、前記第一の情報は、前記端末装置が前記ネットワーク側装置へアップリンク信号を送信するためのビーム又はビームグループを示すことに用いられる。
【０１６５】
選択可能に、一つの実施例として、前記ターゲットビームは予め定義されたビームグループのうちの少なくとも一つのビームであり、前記第一の情報は具体的に、予め定義されたビームグループでの前記ターゲットビームのインデックスを示すことに用いられる。
【０１６６】
選択可能に、一つの実施例として、前記第一の情報はビットマップ情報であり、前記ビットマップ情報が、前記ターゲットビームが予め定義されたビームグループのうちの少なくとも一つのビームであることを示すことに用いられる。
【０１６７】
選択可能に、一つの実施例として、前記第一の情報は具体的に、予め定義された複数のビームグループでの前記ターゲットビームグループのインデックスを示すことに用いられる。
【０１６８】
選択可能に、一つの実施例として、前記アップリンク信号はアップリンクデータ、アップリンク制御信号、アップリンクパイロット信号及びアップリンクランダムアクセス信号のうちのいずれか一つである。
【０１６９】
選択可能に、一つの実施例として、前記アップリンク信号がアップリンクデータであり、前記ターゲットビームグループにおける第一のビームが前記アップリンクデータの初回伝送に用いられ、前記ターゲットビームグループにおける他のビームが前記アップリンクデータの可能なＨＡＲＱ再送に用いられる。
【０１７０】
選択可能に、一つの実施例として、前記アップリンク信号がアップリンクデータであり、前記ターゲットビームグループにおける第一のビームが前記アップリンクデータの初回伝送及び可能なＨＡＲＱ再送に用いられる。
【０１７１】
選択可能に、一つの実施例として、前記アップリンク信号がアップリンクデータであり、前記ターゲットビームが予め定義されたビームグループのうちの少なくとも一つのビームであり、前記ターゲットビームが前記アップリンクデータの初回伝送に用いられ、前記予め定義されたビームグループにおける前記ターゲットビーム以外のビームが前記アップリンクデータの可能なＨＡＲＱ再送に用いられる。
【０１７２】
選択可能に、一つの実施例として、前記第一の情報は前記ネットワーク側装置から前記端末装置に送信されたダウンリンク制御情報（ＤＣＩ）に含まれる。
【０１７３】
図５は本発明の実施例による端末装置の概略構造図である。図５の端末装置５００は、
プログラムを記憶するように構成されるメモリ５１０と、
ネットワーク側装置から送信された第一の情報を受信するように構成され、前記第一の情報が、前記端末装置が前記ネットワーク側装置へアップリンク信号を送信するためのビーム又はビームグループを確定するために用いられる送受信機５２０と、
プログラムを実行するように構成され、前記プログラムが実行される場合、前記第一の情報に基づき、前記アップリンク信号を送信するためのターゲットビーム又はターゲットビームグループを確定するように構成されるプロセッサ５３０とを備え、
前記送受信機５２０はさらにターゲットビーム又はターゲットビームグループを用いて前記ネットワーク側装置へ前記アップリンク信号を送信するように構成される。
【０１７４】
本発明の実施例では、ネットワーク側装置は第一の情報により、現在のアップリンク伝送のためのビーム又はビームグループを端末装置に通知することができ、これにより、端末装置は第一の情報に基づいて確定されたターゲットビーム又はターゲットビームグループでネットワーク側へアップリンク信号を送信することができ、それによってアップリンク信号へのネットワーク側装置の受信性能が向上する。
【０１７５】
選択可能に、一つの実施例として、前記第一の情報は、前記端末装置から前記ネットワーク側装置に送信された複数の検出信号のうちのターゲット検出信号又はターゲット検出信号グループを示すことに用いられる。
【０１７６】
選択可能に、一つの実施例として、前記プロセッサ５３０は具体的に前記ターゲット検出信号又はターゲット検出信号グループに対応するビーム又はビームグループを、前記アップリンク信号を送信するためのターゲットビーム又はターゲットビームグループとして確定するように構成される。
【０１７７】
選択可能に、一つの実施例として、前記送受信機５２０が前記ネットワーク側装置から送信された第一の情報を受信する前に、前記送受信機５２０はさらに異なるビーム又はビームグループを用いて前記ネットワーク側装置へ前記複数の検出信号を送信するように構成される。
【０１７８】
選択可能に、一つの実施例として、前記ターゲット検出信号は予め定義された検出信号グループのうちの少なくとも一つの検出信号であり、前記第一の情報は具体的に、予め定義された検出信号グループでの前記ターゲット検出信号のインデックスを示すことに用いられる。
【０１７９】
選択可能に、一つの実施例として、前記第一の情報はビットマップ情報であり、前記ビットマップ情報が、前記ターゲット検出信号が予め定義された検出信号グループのうちの少なくとも一つの検出信号であることを示すことに用いられる。
【０１８０】
選択可能に、一つの実施例として、前記第一の情報は具体的に、予め定義された複数の検出信号グループでの前記ターゲット検出信号グループのインデックスを示すことに用いられる。
【０１８１】
選択可能に、一つの実施例として、前記第一の情報は、前記端末装置が前記ネットワーク側装置へアップリンク信号を送信するためのビーム又はビームグループを示すことに用いられる。
【０１８２】
選択可能に、一つの実施例として、前記ターゲットビームは予め定義されたビームグループのうちの少なくとも一つのビームであり、前記第一の情報は具体的に、予め定義されたビームグループでの前記ターゲットビームのインデックスを示すことに用いられる。
【０１８３】
選択可能に、一つの実施例として、前記第一の情報はビットマップ情報であり、前記ビットマップ情報が、前記ターゲットビームが予め定義されたビームグループのうちの少なくとも一つのビームであることを示すことに用いられる。
【０１８４】
選択可能に、一つの実施例として、前記第一の情報は具体的に、予め定義された複数のビームグループでの前記ターゲットビームグループのインデックスを示すことに用いられる。
【０１８５】
選択可能に、一つの実施例として、前記送受信機５２０は具体的に前記ターゲットビーム又はターゲットビームグループに対応するフォーミング重み値に基づき、前記アップリンク信号に対してビームフォーミングを行い、フォーミングされたアップリンク信号を得り、前記ネットワーク側装置へ前記フォーミングされたアップリンク信号を送信するように構成される。
【０１８６】
選択可能に、一つの実施例として、前記送受信機５２０は、具体的に前記ターゲットビームグループのうちの少なくとも一つを用い、前記ネットワーク側装置へ前記アップリンク信号を送信するように構成される。
【０１８７】
選択可能に、一つの実施例として、前記送受信機５２０は、具体的に前記ターゲットビーム又はターゲットビームグループにおける異なるビームで前記アップリンク信号を送信するように構成され、ここで、異なるビームで送信される前記アップリンク信号が異なる時間周波数リソースで伝送される。
【０１８８】
選択可能に、一つの実施例として、異なるビームで送信されるアップリンク信号は同じ時間領域伝送ユニットと異なる周波数領域伝送ユニットで伝送され、又は、異なるビームで送信されるアップリンク信号は同じ周波数領域伝送ユニットと異なる時間領域伝送ユニットで伝送される。
【０１８９】
選択可能に、一つの実施例として、前記アップリンク信号はアップリンクデータ、アップリンク制御信号、アップリンクパイロット信号及びアップリンクランダムアクセス信号のうちのいずれか一つである。
【０１９０】
選択可能に、一つの実施例として、前記アップリンク信号がアップリンクデータであり、前記ターゲットビームグループにおける第一のビームが前記アップリンクデータの初回伝送に用いられ、前記ターゲットビームグループにおける他のビームが前記アップリンクデータの可能なＨＡＲＱ再送に用いられる。
【０１９１】
選択可能に、一つの実施例として、前記アップリンク信号がアップリンクデータであり、前記ターゲットビームグループにおける第一のビームが前記アップリンクデータの初回伝送及び可能なＨＡＲＱ再送に用いられる。
【０１９２】
選択可能に、一つの実施例として、前記アップリンク信号がアップリンクデータであり、前記ターゲットビームが予め定義されたビームグループのうちの少なくとも一つのビームであり、前記ターゲットビームが前記アップリンクデータの初回伝送に用いられ、前記予め定義されたビームグループにおける前記ターゲットビーム以外のビームが前記アップリンクデータの可能なＨＡＲＱ再送に用いられる。
【０１９３】
選択可能に、一つの実施例として、前記送受信機５２０は、具体的に前記ターゲットビーム又はターゲットビームグループにおける異なるビームで前記アップリンク信号を送信するように構成され、ここで、異なるビームで送信される前記アップリンク信号のサービスタイプが異なる。
【０１９４】
選択可能に、一つの実施例として、前記送受信機５２０は、具体的に前記ターゲットビーム又はターゲットビームグループにおける異なるビームで前記アップリンク信号を送信するように構成され、ここで、前記異なるビームで送信される前記アップリンク信号ののためのサブ搬送波間隔が異なる。
【０１９５】
選択可能に、一つの実施例として、前記第一の情報は前記ネットワーク側装置から前記端末装置に送信されたダウンリンク制御情報（ＤＣＩ）に含まれる。
【０１９６】
図６は本発明の実施例によるネットワーク側装置の概略構造図である。図６のネットワーク側装置６００は、
プログラムを記憶するように構成されるメモリ６１０と、
プログラムを実行するように構成され、前記プログラムが実行される場合、具体的に第一の情報を生成するように構成され、前記第一の情報が、前記端末装置が前記ネットワーク側装置へアップリンク信号を送信するためのビーム又はビームグループを確定するために用いられるプロセッサ６２０と、
前記端末装置へ前記第一の情報を送信するように構成される送受信機６３０とを備え、
前記送受信機６３０は、さらに前記端末装置がターゲットビーム又はターゲットビームグループを用いて送信した前記アップリンク信号を受信するように構成され、ここで、前記ターゲットビーム又はターゲットビームグループが、前記第一の情報に基づいて前記端末装置によって確定される。
【０１９７】
本発明の実施例では、ネットワーク側装置は第一の情報により、現在のアップリンク伝送のためのビーム又はビームグループを端末装置に通知することができ、これにより、端末装置は第一の情報に基づいて確定されたターゲットビーム又はターゲットビームグループでネットワーク側へアップリンク信号を送信することができ、それによってアップリンク信号へのネットワーク側装置の受信性能が向上する。
【０１９８】
選択可能に、一つの実施例として、前記第一の情報は、前記端末装置から前記ネットワーク側装置に送信された複数の検出信号のうちのターゲット検出信号又はターゲット検出信号グループを示すことに用いられる。
【０１９９】
選択可能に、一つの実施例として、前記送受信機６３０が前記端末装置へ前記第一の情報を送信する前に、前記送受信機６３０はさらに前記端末装置が異なるビーム又はビームグループを用いて前記ネットワーク側装置に送信した前記複数の検出信号を受信するように構成される。
【０２００】
選択可能に、一つの実施例として、前記ターゲット検出信号は予め定義された検出信号グループのうちの少なくとも一つの検出信号であり、前記第一の情報は具体的に、予め定義された検出信号グループでの前記ターゲット検出信号のインデックスを示すことに用いられる。
【０２０１】
選択可能に、一つの実施例として、前記第一の情報はビットマップ情報であり、前記ビットマップ情報が、前記ターゲット検出信号が予め定義された検出信号グループのうちの少なくとも一つの検出信号であることを示すことに用いられる。
【０２０２】
選択可能に、一つの実施例として、前記第一の情報は具体的に、予め定義された複数の検出信号グループでの前記ターゲット検出信号グループのインデックスを示すことに用いられる。
【０２０３】
選択可能に、一つの実施例として、前記第一の情報は、前記端末装置が前記ネットワーク側装置へアップリンク信号を送信するためのビーム又はビームグループを示すことに用いられる。
【０２０４】
選択可能に、一つの実施例として、前記ターゲットビームは予め定義されたビームグループのうちの少なくとも一つのビームであり、前記第一の情報は具体的に、予め定義されたビームグループでの前記ターゲットビームのインデックスを示すことに用いられる。
【０２０５】
選択可能に、一つの実施例として、前記第一の情報はビットマップ情報であり、前記ビットマップ情報が、前記ターゲットビームが予め定義されたビームグループのうちの少なくとも一つのビームであることを示すことに用いられる。
【０２０６】
選択可能に、一つの実施例として、前記第一の情報は具体的に、予め定義された複数のビームグループでの前記ターゲットビームグループのインデックスを示すことに用いられる。
【０２０７】
選択可能に、一つの実施例として、前記アップリンク信号はアップリンクデータ、アップリンク制御信号、アップリンクパイロット信号及びアップリンクランダムアクセス信号のうちのいずれか一つである。
【０２０８】
選択可能に、一つの実施例として、前記アップリンク信号がアップリンクデータであり、前記ターゲットビームグループにおける第一のビームが前記アップリンクデータの初回伝送に用いられ、前記ターゲットビームグループにおける他のビームが前記アップリンクデータの可能なＨＡＲＱ再送に用いられる。
【０２０９】
選択可能に、一つの実施例として、前記アップリンク信号がアップリンクデータであり、前記ターゲットビームグループにおける第一のビームが前記アップリンクデータの初回伝送及び可能なＨＡＲＱ再送に用いられる。
【０２１０】
選択可能に、一つの実施例として、前記アップリンク信号がアップリンクデータであり、前記ターゲットビームが予め定義されたビームグループのうちの少なくとも一つのビームであり、前記ターゲットビームが前記アップリンクデータの初回伝送に用いられ、前記予め定義されたビームグループにおける前記ターゲットビーム以外のビームが前記アップリンクデータの可能なＨＡＲＱ再送に用いられる。
【０２１１】
選択可能に、一つの実施例として、前記第一の情報は前記ネットワーク側装置から前記端末装置に送信されたダウンリンク制御情報（ＤＣＩ）に含まれる。
【０２１２】
図７は本発明の実施例によるシステムチップの概略構造図である。図７のシステムチップ７００は入力インタフェース７０１、出力インタフェース７０２、プロセッサ７０３、メモリ７０４とバス７０５を備え、前記入力インタフェース７０１、出力インタフェース７０２、前記プロセッサ７０３及びメモリ７０４がバス７０５を介して接続され、前記プロセッサ７０３が前記メモリ７０４でのコードを実行するように構成され、前記コードが実行される場合、前記プロセッサ７０３が図１に示す端末装置によって実行される方法を実現する。
【０２１３】
図８は本発明の実施例によるシステムチップの概略構造図である。図８のシステムチップ８００は入力インタフェース８０１、出力インタフェース８０２、プロセッサ８０３、メモリ８０４とバス８０５を備え、前記入力インタフェース７０１、出力インタフェース８０２、前記プロセッサ８０３及びメモリ８０４がバス８０５を介して接続され、前記プロセッサ８０３が前記メモリ８０４でのコードを実行するように構成され、前記コードが実行される場合、前記プロセッサ８０３が図２に示すネットワーク側装置によって実行される方法を実現する。
【０２１４】
理解すべきものとして、本発明の実施例によるアップリンク信号を伝送するための方法は、様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｕｔｉｏｎ）システム、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）などの現在の通信システム、特に将来の第５世代移動通信技術（５Ｇ）システムに応用されてもよい。
【０２１５】
本発明の実施例におけるネットワーク側装置は端末装置と通信するための装置であってもよく、該ネットワーク側装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける進化型基地局（ｅＮＢ又はｅＮｏｄｅＢ：Ｅｖｏｌｕｔｉｏｎａｌ  ＮｏｄｅＢ）であってもよいし、クラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線コントローラであってもよく、又は該ネットワーク側装置は中継局、アクセスポイント、車載デバイス、ウェアラブルデバイス及び将来の５Ｇネットワークにおけるネットワーク側装置又は将来の進化したＰＬＭＮネットワークにおけるネットワーク側装置などであってもよく、本発明の実施例では限定されない。
【０２１６】
本発明の実施例における端末装置はユーザ装置（ＵＥ：Ｕｓｅｒ  Ｅｑｕｉｐｍｅｎｔ）、アクセス端末、加入者ユニット、加入者局、移動局、移動ステーション、遠隔局、遠隔端末、移動装置、ユーザ端末、端末、無線通信装置、ユーザエージェント又はユーザ装置と呼ばれてもよい。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）における端末装置などであってもよく、本発明の実施例では限定されない。
【０２１７】
当業者であれば、本明細書で開示された実施例と組み合わせて説明された各例のユニット及びアルゴリズムステップは、電子ハードウェア、又はコンピュータソフトウェアと電子ハードウェアの組み合わせで実現されてもいよいと理解できる。これらの機能がハードウエア又はソフトウエアで実行されるかは、技術的解決策の特徴応用と設計制約条件に依存する。当業者は各特定の応用に対して異なる方法を用いて記述される機能を実現することが可能だが、但しこのような実現は本発明の範囲を超えると見なしてはならない。
【０２１８】
当業者は、便利および簡潔に説明するために、上記のシステム、装置及びユニットの具体的な動作プロセスについて、前記方法の実施例における対応するプロセスを参照できるため、ここでは説明を省略することを明確に理解することができる。
【０２１９】
本発明が提供する、いくつかの実施例では、開示されたシステム、装置及び方法は、他の方式により実現されてもよいと理解すべきである。例えば、上記の装置の実施例は例示的なものだけであり、例えば、前記ユニットの区分は、論理機能的区分だけであり、実際に実施する時に他の区分モードもあり得て、例えば複数のユニット又は構成要素は組み合わせてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又は機能モジュールを介する間接的結合又は通信接続であってもよく、電気的、機械的又は他の形態であってもよい。
【０２２０】
分離部材として説明された前記ユニットは物理的に分離するものであってもよく又は物理的に分離するものでなくてもよく、ユニットとして表示された部材は物理ニットであってもよく又は物理ユニットでなくてもよく、即ち一つの箇所に位置してもよく、又は複数のネットワーク要素に分布してもよい。実際のニーズに応じてそのうちの一部又は全てのユニットを選択して本実施例の解決策の目的を達成することができる。
【０２２１】
また、本発明の各実施例における各機能ユニットは一つの処理ユニットに統合されてもよく、個々のユニットは単独で物理的に存在してもよく、二つ又は二つ以上のユニットは一つのユニットに統合されてもよい。
【０２２２】
前記機能はソフトウェア機能ユニットの形態で実現され且つ独立した製品として販売又は使用される時に、一つのコンピュータ読み取り可能な記憶媒体に格納されてもよい。このような理解に基づき、本発明の技術的解決策は本質的に又は従来技術に寄与する部分又は該技術的解決策の部分がソフトウェア製品の形で実現されてもよく、該コンピュータソフトウェア製品が一つのコンピュータ装置（パーソナルコンピュータ、サーバ、又はネットワークデバイス等であってもよい）に本発明の様々な実施例に記載された方法の全て又は部分のステップを実行させるためのいくつかの命令を含む、記憶媒体に記憶されてもよい。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２２３】
以上は、本発明の具体的な実施形態だけであり、本発明の保護範囲はこれに制限されず、当業者が本発明に開示された技術範囲内で容易に想到し得る変化又は入れ替わりが全て本発明の保護範囲以内に含まれるべきである。したがって、本発明の保護範囲は前記特許請求の範囲によってに準拠するべきである。
【図１】
2020502870.tif 000003
【図２】
2020502870.tif 000004
【図３】
2020502870.tif 000005
【図４】
2020502870.tif 000006
【図５】
2020502870.tif 000007
【図６】
2020502870.tif 000008
【図７】
2020502870.tif 000009
【図８】
2020502870.tif 000010
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
アップリンク信号を伝送するための方法であって、
端末装置がネットワーク側装置から送信された第一の情報を受信し、前記第一の情報が、前記端末装置が前記ネットワーク側装置へアップリンク信号を送信するためのビーム又はビームグループを確定するために用いられることと、
前記端末装置が前記ビーム又はビームグループを用いて前記ネットワーク側装置へ前記アップリンク信号を送信することとを含む、前記アップリンク信号を伝送するための方法。
【請求項２】
前記第一の情報は、前記端末装置から前記ネットワーク側装置に送信された一つ又は複数の検出信号のうちのターゲット検出信号又はターゲット検出信号グループを示すことに用いられることを特徴とする
請求項１に記載の方法。
【請求項３】
前記一つ又は複数の検出信号は複数の検出信号を含み、前記第一の情報は、前記端末装置から前記ネットワーク側装置に送信された前記複数の検出信号のうちのターゲット検出信号又はターゲット検出信号グループを示すことに用いられることを特徴とする
請求項２に記載の方法。
【請求項４】
前記端末装置が前記ビーム又はビームグループを用いて前記ネットワーク側装置へ前記アップリンク信号を送信することは、
前記端末装置が前記ターゲット検出信号又はターゲット検出信号グループに対応するビーム又はビームグループを用いて、前記ネットワーク側装置へ前記アップリンク信号を送信することを含むことを特徴とする
請求項２又は３に記載の方法。
【請求項５】
前記ターゲット検出信号は予め定義された検出信号グループのうちの少なくとも一つの検出信号であり、前記第一の情報は具体的に、予め定義された検出信号グループでの前記ターゲット検出信号のインデックスを示すことに用いられることを特徴とする
請求項２−４のいずれか一項に記載の方法。
【請求項６】
前記アップリンク信号はアップリンクデータ、アップリンク制御信号、アップリンクパイロット信号及びアップリンクランダムアクセス信号のうちのいずれか一つであることを特徴とする
請求項１−５のいずれか一項に記載の方法。
【請求項７】
端末装置であって、
ネットワーク側装置から送信された第一の情報を受信するように構成され、前記第一の情報が、前記端末装置が前記ネットワーク側装置へアップリンク信号を送信するためのビーム又はビームグループを確定するために用いられる受信モジュールと、
前記ビーム又はビームグループを用いて前記ネットワーク側装置へ前記アップリンク信号を送信するように構成される送信モジュールとを備える、前記端末装置。
【請求項８】
前記第一の情報は、前記端末装置から前記ネットワーク側装置に送信された一つ又は複数の検出信号のうちのターゲット検出信号又はターゲット検出信号グループを示すことに用いられることを特徴とする
請求項７に記載の方法。
【請求項９】
前記一つ又は複数の検出信号は複数の検出信号を含み、前記第一の情報は、前記端末装置から前記ネットワーク側装置に送信された前記複数の検出信号のうちのターゲット検出信号又はターゲット検出信号グループを示すことに用いられることを特徴とする
請求項８に記載の端末装置。
【請求項１０】
前記送信モジュールは具体的に、
前記ターゲット検出信号又はターゲット検出信号グループに対応するビーム又はビームグループを用いて、前記ネットワーク側装置へ前記アップリンク信号を送信するように構成されることを特徴とする
請求項８又は９に記載の端末装置。
【請求項１１】
前記ターゲット検出信号は予め定義された検出信号グループのうちの少なくとも一つの検出信号であり、前記第一の情報は具体的に、予め定義された検出信号グループでの前記ターゲット検出信号のインデックスを示すことに用いられることを特徴とする
請求項８−１０のいずれか一項に記載の端末装置。
【請求項１２】
前記第一の情報は、前記端末装置が前記ネットワーク側装置へアップリンク信号を送信するためのビーム又はビームグループを示すことに用いられ、
前記ビームは予め定義されたビームグループのうちの少なくとも一つのビームであり、前記第一の情報は具体的に、予め定義されたビームグループでの前記ビームのインデックスを示すことに用いられ、又は、前記第一の情報はビットマップ情報であり、前記ビットマップ情報が、前記ビームが予め定義されたビームグループのうちの少なくとも一つのビームであることを示すことに用いられ、又は、前記第一の情報は具体的に予め定義された複数のビームグループでの前記ターゲットビームグループのインデックスを示すことに用いられることに用いられることを特徴とする、
請求項７に記載の端末装置。
【請求項１３】
前記端末装置はさらに、
前記ビーム又はビームグループに対応するフォーミング重み値に基づき、前記アップリンク信号に対してビームフォーミングを行い、フォーミングされたアップリンク信号を得るように構成される処理モジュールを備え、
前記送信モジュールは、具体的に前記ネットワーク側装置へ前記フォーミングされたアップリンク信号を送信するように構成されることを特徴とする
請求項７−１２のいずれか一項に記載の端末装置。
【請求項１４】
前記送信モジュールは
前記ビームグループのうちの少なくとも一つを用い、前記ネットワーク側装置へ前記アップリンク信号を送信することと、
前記ビーム又はビームグループにおける異なるビームで前記アップリンク信号を送信すること、
のうちの少なくとも一つを実施するように構成され、ここで、異なるビームで送信される前記アップリンク信号が異なる時間周波数リソースで伝送されることを特徴とする
請求項７−１３のいずれか一項に記載の端末装置。
【請求項１５】
前記アップリンク信号はアップリンクデータ、アップリンク制御信号、アップリンクパイロット信号及びアップリンクランダムアクセス信号のうちのいずれか一つであることを特徴とする
請求項７−１４のいずれか一項に記載の端末装置。
【国際調査報告】
2020502870.tif 000011
2020502870.tif 000012
2020502870.tif 000013
2020502870.tif 000014